(57)【特許請求の範囲】
【請求項１】
音楽情報等のデジタルデータの記録を行う記録装置において、
この記録装置に供給されたデジタルデータの一部あるいは全てを、その記録先となる所定の記録媒体に転送する前に一時的に記録するための一時記録部を備え、
この一時記録部に記録されたデータの一部あるいは全てを所定のタイミングで前記記録媒体に転送し、
前記デジタルデータの転送先となる記録媒体の決定前に前記一時記録部に対してそのデジタルデータの記録が終了した場合、或いは、記録先として指定された記録媒体に前記一時記録部に記録された所定デジタルデータの転送が終了する前に、その記録媒体の記録可能容量が飽和してしまう場合の何れにおいても、前記一時記録部にあるその未転送デジタルデータを破棄するか否かの確認をユーザに促すデータ破棄確認手段を更に備えることを特徴とする記録装置。
【請求項２】
前記デジタルデータの記録先となる記録媒体の指定前に、そのデジタルデータを前記一時記録部に記録し、前記記録媒体の指定をその記録中あるいは記録後に行うことが可能な請求項１記載の記録装置。
【請求項３】
前記デジタルデータを前記一時記録部に記録中あるいは記録後、このデジタルデータを記録する記録媒体およびその記録方法の指定に必要な記録媒体指定情報を記録媒体毎に自動的に抽出する指定情報抽出手段と、
前記デジタルデータを前記一時記録部に記録中あるいは記録後、前記記録媒体指定情報をユーザに通知する指定情報通知手段と、
を備えることを特徴とする請求項１、または請求項２記載の記録装置。
【請求項４】
前記指定情報通知手段は、前記記録媒体指定情報と共に、装填中の記録媒体を指し示す記録媒体指示情報をユーザに通知することを特徴とする請求項３記載の記録装置。
【請求項５】
前記指定情報通知手段は、装填中の記録媒体に関する前記記録媒体指定情報を第１番目に通知することを特徴とする請求項３、または請求項４記載の記録装置。
【請求項６】
前記指定情報通知手段は、前回使用した記録媒体に関する前記記録媒体指定情報を第１番目に通知することを特徴とする請求項３、または請求項４記載の記録装置。
【請求項７】
前記指定情報通知手段は、前記デジタルデータを記録する記録媒体およびその記録方法の決定後、前記記録媒体指定情報を繰り返し通知可能とすることを特徴とする請求項３から６の何れか一項に記載の記録装置。
【請求項８】
前記デジタルデータの前記一時記録部への記録終了後、記録先として指定された記録媒体にその記録媒体の有する記録可能容量分だけ前記デジタルデータを転送した後、記録媒体の交換を行う記録媒体交換操作をユーザに促す旨の通知を行い、その記録媒体交換操作の終了後、同操作によって新たに装填された記録媒体にその未転送デジタルデータを記録する未転送データ記録手段を更に備えることを特徴とする請求項１から７の何れか一項に記載の記録装置。
【請求項９】
前記一時記録部に記録されたデジタルデータを再生可能な信号形態に変換するデータ変換手段を更に備えることを特徴とする請求項１から８の何れか一項に記載の記録装置。
【請求項１０】
音楽等のデジタルデータを一時的に記録可能な一時記録部を備えた記録装置におけるデジタルデータ記録方法であって、
この記録装置に供給されたデジタルデータの一部あるいは全てを、その記録先となる所定の記録媒体に転送する前に、その一部あるいは全てを前記一時記録部に記録する工程と、
その記録したデジタルデータを所定のタイミングで前記記録媒体に転送する工程と、
前記デジタルデータの転送先となる記録媒体の決定前に前記一時記録部に対してそのデジタルデータの記録が終了した場合、或いは、記録先として指定された記録媒体に前記一時記録部に記録された所定デジタルデータの転送が終了する前に、その記録媒体の記録可能容量が飽和してしまう場合の何れにおいても、前記一時記録部にあるその未転送デジタルデータを破棄するか否かの確認を促す工程と、
を含むことを特徴とするデジタルデータ記録方法。
【請求項１１】
前記記録する工程は、
前記デジタルデータの記録先となる記録媒体の指定前に、そのデジタルデータを前記一時記録部に記録し、前記記録媒体の指定をその記録中あるいは記録後に行うことが可能な請求項１０記載のデジタルデータ記録方法。
【請求項１２】
前記デジタルデータを前記一時記録部に記録中あるいは記録後、このデジタルデータを記録する記録媒体の指定に必要な記録媒体指定情報を記録媒体毎に自動的に抽出する工程と、
前記デジタルデータを前記一時記録部に記録中あるいは記録後、前記記録媒体指定情報をユーザに通知する工程と、
を更に含むことを特徴とする請求項１０、または請求項１１記載のデジタルデータ記録方法。
【請求項１３】
前記通知する工程は、この記録媒体指定情報と共に、装填中の記録媒体を指し示す記録媒体指示情報をユーザに通知することを特徴とする請求項１２記載のデジタルデータ記録方法。
【請求項１４】
前記通知する工程は、装填中の記録媒体に関するこの記録媒体指定情報を第１番目に通知することを特徴とする請求項１２、または請求項１３記載のデジタルデータ記録方法。
【請求項１５】
前記通知する工程は、前回使用した記録媒体に関するこの記録媒体指定情報を第１番目に通知することを特徴とする請求項１２、または請求項１３記載のデジタルデータ記録方法。
【請求項１６】
前記通知する工程は、前記デジタルデータを記録する記録媒体の決定後、この記録媒体指定情報を繰り返し通知可能とすることを特徴とする請求項１２から１５の何れか一項に記載のデジタルデータ記録方法。
【請求項１７】
前記デジタルデータの前記一時記録部への記録終了後、記録先として指定された記録媒体にその記録媒体の有する記録可能容量分だけ前記デジタルデータを転送した後、記録媒体の交換を行う記録媒体交換操作をユーザに促す旨の通知を行い、その記録媒体交換操作の終了後、同操作によって新たに装填された記録媒体にその未転送デジタルデータを記録する工程を更に含むことを特徴とする請求項１０から１６の何れか一項に記載のデジタルデータ記録方法。
【請求項１８】
前記一時記録部に記録されたデジタルデータを再生可能な信号形態に変換するデータ変換工程を更に備えることを特徴とする請求項１０から１７の何れか一項に記載のデジタルデータ記録方法。
【発明の詳細な説明】
【０００１】
【発明の属する技術分野】
本発明は、ＭＤ、ＣＤ―Ｒ、ＣＤ―ＲＷ、及び半導体メモリに音楽情報の記録を行う記録装置、及び、デジタルデータ記録方法に関する。
【０００２】
【従来の技術】
近時、音楽データを音楽用ＣＤ（Compact Disc）等の記録媒体からＭＤ（Mini Disc）にダビング可能なオーディオ機器が普及している。上記オーディオ機器において、ユーザは、ＣＤのＴＯＣ（Table Of Contents）情報に予め記録されている再生時間を所定の操作によって調べ、その調べた再生時間に適合した記録可能容量を備えたＭＤを選択してダビングを行う。図１９にＣＤの再生動作に係る各種時間情報の表示例を示す。
【０００３】
図１９によれば、ＣＤ時間情報表示画面１９ａ〜１９ｄには、曲（トラック）番号“ＣＤ００１”、及び、曲の再生時間“０：００”や曲の残り再生時間“―３：５４”等の各種時間情報が表示され、これらＣＤ時間情報表示画面１９ａ〜１９ｄは、オーディオ機器が有する時間表示切り替えキー（図示略）による切り替え操作により順次切り替わる。
【０００４】
ＭＤの記録可能容量の確認も、上記ＣＤの再生時間の確認時と同様の操作によって行う。図２０にＭＤの録音／再生動作に係る各種時間情報の表示例を示す。
【０００５】
図２０によれば、ＭＤ時間情報表示画面２０ａ〜２０ｅには、曲（トラック）番号“ＭＤ００１”、及び、曲の再生時間“０：００”や曲の残り再生時間“―３：５４”等の各種時間情報が表示され、これらＭＤ時間情報表示画面２０ａ〜２０ｅは、上記時間表示切り替えキーによる切り替え操作により順次切り替わる。
【０００６】
また、複数のＣＤから所望する楽曲を複数選択し、その選択した複数の楽曲をＭＤにダビングする場合、ユーザは、所定の操作によってＣＤ毎に再生時間を調べ、その再生時間に適合した記録可能容量を備えたＭＤを選択して各ＣＤ毎に逐次ダビングを行う。特に、複数のＣＤが一台のオーディオ機器に格納可能であり、それら格納された複数のＣＤを対象としたプログラム再生が可能である場合、ユーザは、所望する楽曲を選択するための選択操作を行うだけで、総再生時間が自動的に計算される。図２１に複数のＣＤを対象としたプログラム再生動作に係る各種時間情報の表示例を示す。
【０００７】
図２１によれば、ＣＤ時間情報表示画面２１ａ〜２１ｄには、プログラム番号“Ｐ０１”、ディスク番号“００５”、曲番号“０１”あるいは“０３”、及び、曲の再生時間“０：００”や曲の残り再生時間“―３：５４”等の各種時間情報が表示され、これらＣＤ時間情報表示画面２１ａ〜２１ｄは、上記時間表示切り替えキーによる切り替え操作により順次切り替わる。
【０００８】
特に最近、数百枚のＣＤを格納可能なマルチＣＤプレーヤやメガバンクＣＤチェンジャーも実用化されている。また、ＣＤやＭＤ等の従来型の記録媒体に加え、ＣＤ―Ｒ（Ｗ）や、シリコンオーディオ等、新たな記録媒体が、近年オーディオ機器に導入されるようになってきた。ＣＤ―Ｒ（Ｗ）、すなわち、ＣＤ−Ｒ（CD-Recordable）およびＣＤ−ＲＷ（CD-ReWritable）は、デジタルデータの書き込み可能なＣＤであり、特に、大容量のデジタル音楽データを所定の圧縮符号化方式で圧縮符号化することにより記録することができるものである。このような圧縮符号化されたデジタル音楽データは、高品位な音質を提供すると共に、効率よくデータ伝送できるよう、適切なビットレートに圧縮符号化されている。例えば、ＭＰ３（MPEG1 Audio Layer III）規格等の聴覚特性を利用したエントロピー符号化や、知覚符号化といった符号化方式が用いられている。ＭＰ３規格でデジタルデータの符号化を行う場合、ユーザは、数段階に設定された複数の圧縮率の中から所望する圧縮率を指定してＣＤ―Ｒ（Ｗ）等の記録媒体に記録するものである。
【０００９】
また、シリコンオーディオは、高度に圧縮されたデジタル音楽データ等のデジタルデータを半導体メモリに記録するものである。シリコンオーディオにおいてデジタルデータの符号化を行う場合、上述したＣＤ―Ｒ（Ｗ）におけるデータの符号化と同様、ユーザは、数段階に設定された複数の圧縮率の中から所望する圧縮率を指定して半導体メモリに記録する。
【００１０】
このような圧縮率の高低の違いは、記録されるデータ量の大小の違いに対応するものである。すなわち、圧縮率が高いと記録されるデータ量は少なく、圧縮率が低いと記録されるデータ量は多い。このデータ量の相違は記録時間に換算して理解することができる。図２３に、シリコンメモリにおけるデジタル音楽データの記録時間を例示する表を示す。この図２３によると、例えば、データ転送の際のビットレートを６６ｋｂｐｓにした場合、僅か６４ＭＢ（メガバイト）のメモリに１２０分といった長時間録音が可能であることがわかる。
【００１１】
ここで、マルチＣＤプレーヤやメガバンクＣＤチェンジャーを備えた従来型のオーディオ機器の一例として、ＣＤプレーヤ／ＭＤレコーダ一体型オーディオ機器３００について、図２２〜図２５を参照して説明する。
【００１２】
図２２は、従来のＣＤプレーヤ／ＭＤレコーダ一体型オーディオ機器３００の内部構造を説明する概略ブロック図である。
図２２によれば、ＣＤプレーヤ／ＭＤレコーダ一体型オーディオ機器３００は、ＣＤ用ＤＳＰ・ＬＳＩ３１０、マルチＣＤブロック３２０、ＭＤ用ＡＴＲＡＣ・ＤＳＰ・ＬＳＩ３３０、ＭＤブロック３４０、マイコン３５０、出力選択ＳＷ３６０、Ａ／Ｄコンバータ３７０、及びキー／ディスプレイ３８０を備え、各部は、アナログ音声信号ラインＫ１〜Ｋ４、デジタル音声信号用ラインＫ５〜Ｋ９、及び各種制御信号ラインＫ１０〜Ｋ１４の送受信を行う。
【００１３】
ＣＤ用ＤＳＰ・ＬＳＩ（Digital Signal Processor・Large Scale Integrated circuit）３１０は、ｎ倍速ＣＤ音声信号デコード等のＣＤの再生処理に係る各種デジタル音楽データを高速に処理する。このデジタル音楽データ（例えば、ＲＦアンプ３２３からのＲＦ信号）は、マルチＣＤブロック３２０からラインＫ８を介して供給されるものである。
【００１４】
また、ＣＤ用ＤＳＰ・ＬＳＩ３１０は、Ｄ／Ａコンバータ３１１を備え、ＣＤ用ＤＳＰ・ＬＳＩ３１０で処理された所定のデジタル音楽データをアナログ信号に変換し、ラインＫ３を介して出力選択ＳＷ３６０或いはＡ／Ｄコンバータ３７０に出力する。
【００１５】
マルチＣＤブロック３２０は、マルチＣＤロードメカ３２１、ピックアップメカ３２２、ＲＦアンプ３２３、サーボ３２４を備えて構成される。
【００１６】
マルチＣＤロードメカ３２１は、内蔵するＣＤトレー（図示略）に格納された複数のＣＤの中から、ユーザの所望する特定のＣＤをＣＤ再生部（図示略）に案内して再生可能な状態にセットすると共に、このＣＤ再生部にセットされたＣＤを元のＣＤトレーに格納する為の機構を有する。
【００１７】
ピックアップメカ３２２は、上記ＣＤ再生部にセットされたＣＤに予め記録された各種ＴＯＣ情報や音楽データ等をｎ倍速で読み取るための読み取りヘッド（図示略）をマイコン３５０からの制御信号に応じて動作させる動作機構を備える。
【００１８】
ＲＦ（Radio Frequancy）アンプ３２３は、上記ＣＤ再生部において読み取られたデータからＲＦ信号等を抽出し、ラインＫ８を介してその抽出したデータをＣＤ用ＤＳＰ・ＬＳＩ３１０に供給する。
【００１９】
サーボ３２４は、ＣＤ再生部の備える上記読み取りヘッドとＣＤに形成された各トラックとの間の相対的なずれを検出し、その検出したずれに基づいて上記読み取りヘッドの位置を補正するサーボ機構を備える。
【００２０】
ＭＤ用ＡＴＲＡＣ・ＤＳＰ・ＬＳＩ（Adaptive Transform Acoustic Coding・Digital Signal Processor・Large Scale Integrated circuit）３３０は、ｎ倍速ＭＤ音声信号ＡＴＲＡＣデコード／エンコード、及びデジタル音楽データの一時記録等、ＭＤの再生・記録処理に係る各種デジタル信号処理を高速で行う。
【００２１】
このＭＤ用ＡＴＲＡＣ・ＤＳＰ・ＬＳＩ３３０に供給されるデジタル音楽データは、ラインＫ５を介して外部から供給される、ラインＫ９を介してＡ／Ｄコンバータ３７０から供給される、ラインＫ６を介してＣＤ用ＤＳＰ・ＬＳＩ３１０から供給される、或いは、ラインＫ７を介してＭＤ部３４０から供給されるものである。
【００２２】
ここで、ＡＴＲＡＣとは、ＭＤ用デジタル音楽データに適用され、デジタル音楽データをＭＤへ長時間録音するためのデータ圧縮技術であり、そのデジタル音声信号に対するＭＤＣＴ（Modified Discrete Cosine Transform）係数を適応ビットに配分してスカラー量子化する符号化方式である。なお最近、従来のＡＴＲＡＣを改良し、その約２倍の圧縮率を実現するＡＴＲＡＣ３―ＬＰ２、及び、ＡＴＲＡＣ３―ＬＰ４が実用化されている。
【００２３】
ＭＤ用ＡＴＲＡＣ・ＤＳＰ・ＬＳＩ３３０は、図示しないＤＲＡＭ（Dynamic Random Access Memory）を備える。このＤＲＡＭは１６Ｍビットのメモリを有し、再生記録時にはバッファとして数十秒程度のデータを一時的に記録し、所定のタイミングでその記録したデータを音声出力したり、ＭＤに記録したりする。
【００２４】
また、ＭＤ用ＡＴＲＡＣ・ＤＳＰ・ＬＳＩ３３０は、Ｄ／Ａコンバータ３３１を備え、ＭＤ用ＡＴＲＡＣ・ＤＳＰ・ＬＳＩ３３０において処理された所定のデジタルデータをアナログ信号に変換し、ラインＫ４を介して出力選択ＳＷ３６０に出力する。
【００２５】
ＭＤブロック３４０は、ラインＫ７を介してＭＤ用ＡＴＲＡＣ・ＤＳＰ・ＬＳＩ３３０に接続されると共に、ＭＤスロットインメカ３４１、ピックアップメカ３４２、ＲＦアンプ３４３、サーボ３４４を備えて構成される。
【００２６】
ＭＤスロットインメカ３４１は、ＭＤをＭＤブロック３４０の備えるＭＤ再生部（図示略）にセットしたり、そのＭＤ再生部から開放したりする為の機構を有する。
【００２７】
ピックアップメカ３４２は、上記ＭＤ再生部にセットされたＭＤに予め記録された各種ＴＯＣ情報や音楽データ等をｎ倍速で読み取る為の読み取りヘッド（図示略）をマイコン３５０からの制御信号に応じて動作させる動作機構を備える。
【００２８】
ＲＦアンプ３４３は、上記ＭＤ再生部により読み取られたデータからＲＦ信号等を抽出し、ラインＫ７を介してその抽出したデータをＭＤ用ＡＴＲＡＣ・ＤＳＰ・ＬＳＩ３３０に供給する。
【００２９】
サーボ３４４は、ＭＤ再生部の備える上記読み取りヘッドとＭＤに形成された各トラックとの間の相対的なずれを検出し、その検出したずれに基づいて上記読み取りヘッドの位置を補正するサーボ機構を備える。
【００３０】
マイコン３５０は、ＳＲＡＭ（Static Random Access Memory）３５１を備え、以下で言及する各種制御処理を高速で行う。まず、マイコン３５０は、ＣＤの再生や、ＭＤの再生・記録に係る各種制御処理、或いはＭＤのダビング動作制御等の各種連携動作処理を行い、更に、マイコン３５０は、タイトル表示、タイトル操作、トラック操作等、ＭＤの各種ＵＴＯＣ（User Table of Contents）処理、各ＣＤに記録されたテキストデータのデータ処理、及び、これらテキストデータの各種複製処理を行う。また、マイコン３５０は、音声入出力切り替え制御処理、キー入力処理、各種表示処理等を行う。
【００３１】
出力選択ＳＷ３６０は、ラインＫ１０を介してマイコン３５０から供給される制御信号に基づいて動作するものであり、Ｋ４を介してＤ／Ａコンバータ３３１から供給されるアナログ信号や、Ｋ３を介してＤ／Ａコンバータ３１１から供給されるアナログ信号を、ラインＫ２を介して出力選択ＳＷ３６０から外部に出力する。
【００３２】
Ａ／Ｄコンバータ３７０は、ラインＫ１１を介してマイコン３５０から供給される制御信号に基づいて動作するものであり、ラインＫ１を介して外部から供給されるアナログ信号や、ラインＫ３を介してＤ／Ａコンバータ３１１から供給されるアナログ信号をデジタル信号に変換し、ラインＫ９を介してＭＤ用ＡＴＲＡＣ・ＤＳＰ・ＬＳＩ３３０に供給する。
【００３３】
キー／ディスプレイ３８０は、ＣＤプレーヤ／ＭＤレコーダ一体型オーディオ機器３００の操作部（図示略）に備わる各種操作キーを備え、ラインＫ１４を介してこれら各種操作キーの押下による押下信号をマイコン３５０に供給すると共に、ラインＫ１４を介してマイコン３５０から供給される各種表示情報、例えば、各種メッセージ情報、各種時間情報、各種再生／記録情報、ＣＤテキスト情報、ＭＤテキスト情報、及び、ＭＤ各種編集情報（タイトル編集情報、トラック編集情報）等の各種表示情報（漢字対応）を同操作部の備える表示部（図示略）に出力する。
【００３４】
なお、従来のオーディオ機器としては、上記ＣＤプレーヤ／ＭＤレコーダ一体型オーディオ機器３００に、ＣＤ―ＲやＣＤ―ＲＷ（以下、まとめてＣＤ―Ｒ（Ｗ）と称する）、或いはシリコンオーディオに対する再生部および記録部を備えたものであっても良い。
【００３５】
次いで、従来のＣＤプレーヤ／ＭＤレコーダ一体型オーディオ機器３００における、ＣＤからの再生データを所定の記録媒体に記録する操作手順について説明する。
図２４は、従来のＣＤプレーヤ／ＭＤレコーダ一体型オーディオ機器３００において、ＣＤから再生された記録対象データをＭＤ、ＣＤ―Ｒ（Ｗ）、或いはシリコンオーディオ（以下、シリコンメモリ）に記録する記録動作を説明するフローチャートである。ここで、ＣＤプレーヤ／ＭＤレコーダ一体型オーディオ機器３００は、ＣＤ―Ｒ（Ｗ）、シリコンメモリに対する再生部および記録部を備えているものとする。
【００３６】
まず、マイコン３５０は、キー／ディスプレイ３８０から供給される操作信号に応じて、記録対象となるＣＤのディスク番号、楽曲、及びそれら楽曲を記録する順番等、記録対象データに関する諸設定を行う（ステップＳ８０）。
【００３７】
次いで、マイコン３５０は、ステップＳ８０で設定した記録対象データの総再生時間を計算し（ステップＳ８１）、記録先となる記録媒体がＭＤであるか否かの選択入力を要求し（ステップＳ８２）、記録先がＭＤである場合（ステップＳ８２；Ｙｅｓ）、ステップＳ８１で計算した記録対象データの総再生時間に適合したＭＤを設定する為の処理（図２５参照）を行う（ステップＳ８３）。
【００３８】
ステップＳ８２において、記録先がＭＤでない場合（ステップＳ８２；Ｎｏ）、マイコン３５０は、記録先となる記録媒体がＣＤ―Ｒ（Ｗ）であるか否かの選択入力を要求し（ステップＳ８４）、記録先がＣＤ―Ｒ（Ｗ）である場合（ステップＳ８４；Ｙｅｓ）、ステップＳ８１で計算した記録対象データの総再生時間に適合したＣＤ―Ｒ（Ｗ）を設定する為の処理を行う（ステップＳ８５）。
【００３９】
ステップＳ８４において、記録先がＣＤ―Ｒ（Ｗ）でない場合（ステップＳ８４；Ｎｏ）、マイコン３５０は、記録先となる記録媒体をシリコンメモリと判定し、ステップＳ８１で計算した記録対象データの総再生時間に適合したシリコンメモリを設定する為の処理を行う（ステップＳ８６）。
【００４０】
ステップＳ８３、Ｓ８５、或いはＳ８６において、記録先となる記録媒体が設定された後、マイコン３５０は、ステップＳ８０で設定した記録対象データを再生すると共に、その再生した記録対象データを、上記設定された記録媒体に記録する（ステップＳ８７）。
【００４１】
次いで、マイコン３５０は、ステップＳ８７における記録動作が終了したか否かを判別し（ステップＳ８８）、記録動作が終了していなければ、ステップＳ８８における記録動作終了の監視を継続し、記録動作が終了したなら、この一連の記録処理を終了する。
【００４２】
次に、図２４のステップＳ８３における、ＣＤから再生された記録対象データを記録するＭＤを設定する為の一連の処理について説明する。
図２５は、記録先となるＭＤを設定する為の一連の処理を説明するフローチャートである。
【００４３】
記録先となる記録媒体は、ＭＤの他、ＣＤ―Ｒ（Ｗ）、或いはシリコンメモリがあるが、何れの記録媒体も、以下に説明する図２５に示す手順と同一手順に従うものである。
【００４４】
ここで、ＣＤからの再生データの総再生時間は、既にマイコン３５０により計算済みであり、その総再生時間に適合するＭＤを設定するための操作が図２５に示すフローチャートに従って行われるものとする。
【００４５】
まず、ＭＤのタイプ（６０分用、７０分用、或いは８４分用）がユーザによって選定されると（ステップＳ９０）、マイコン３５０は、その選定されたＭＤが未使用であるか否かの選択入力を要求し（ステップＳ９１）、未使用である場合（ステップＳ９１；Ｙｅｓ）、ユーザによって、既に計算済みである記録対象データの総再生時間に適合する新規のＭＤがＣＤプレーヤ／ＭＤレコーダ一体型オーディオ機器３００にセットされる（ステップＳ９２）。
【００４６】
ステップＳ９１において、ユーザによって選定されたＭＤが既に一部使用済みである場合（ステップＳ９１；Ｎｏ）、そのＭＤがユーザによってセットされた後（ステップＳ９３）、マイコン３５０は、そのＭＤの有する記録可能容量の計算を行う（ステップＳ９４）。
【００４７】
次いで、マイコン３５０は、ステップＳ９４で計算した上記一部使用済みのＭＤの記録可能容量と、上記ＣＤから再生された記録対象データの総再生時間とを比較し、このＭＤがこの記録対象データを記録するだけの容量を有しているか否かを判別し（ステップＳ９５）、十分な容量を有している場合（ステップＳ９５；Ｙｅｓ）、図２４に示すステップＳ８５に移行してこの記録対象データの記録動作を開始する。
【００４８】
ステップＳ９５において、上記一部使用済みのＭＤには上記記録対象データを記録するだけの容量を有していない場合（ステップＳ９５；Ｎｏ）、ステップＳ９０に移行してこの一連の動作を繰り返す。
【００４９】
以上が、従来型のＣＤプレーヤ／ＭＤレコーダ一体型オーディオ機器３００の内部回路の構成、及び、ＣＤからＭＤへのダビングに係る動作の説明である。
【００５０】
【発明が解決しようとする課題】
しかしながら、デジタル音楽データを、ＣＤ―Ｒ（Ｗ）にＭＰ３形式による圧縮化データとして記録する、或いはシリコンオーディオ等の半導体メモリに記録する等、何れの場合においても、元のデータを圧縮し、その圧縮したデータを所定の記録媒体に記録する。従って、デジタル音楽データをこれら記録媒体に記録する場合、データの圧縮率を指定する必要性が生じ、記録操作が複雑になり、扱いにくいものとなってしまう。
【００５１】
例えば、ＣＤ等から音楽データをＭＤ等にダビングする場合、まず、ＭＤ等の記録媒体をオーディオ機器にセットし、そのセットした記録媒体の有する記録可能容量と、記録する音楽データの情報量とを比較した後、ダビングを行う必要があった。しかし、圧縮化されたデータをＭＤ等の記録媒体に記録する場合、圧縮率の違いによって記録する情報量が異なり、その情報量に適合した記録可能容量を有する記録媒体を選択しなければならないので、ＭＤ等の記録媒体の選択が困難なものになってしまう。
【００５２】
また、ＣＤ等からの再生データをＭＤ等に記録するか否かの選択は、その再生動作が行われる前に予め設定しなければならなかった。従って、音楽データの再生中にそのデータを記録する必要が生じた場合、その再生動作を中断し、改めて記録処理に係る操作を行わなければならず、柔軟性に欠くものであった。更に、この場合、ＭＤ等の記録先も記録動作が行われる前に予め設定しておかなければならず、記録動作中に記録先を変更する必要が生じた場合、その記録動作を中断し、改めて記録先を設定し直さなければならなかった。
【００５３】
本発明の課題は、ＣＤ―Ｒ、ＣＤ―ＲＷ、或いはシリコンオーディオ等の記録媒体にデジタル音楽データを容易かつ安全な方法によって記録することが可能な記録装置、及び、デジタルデータ記録方法を提供することである。
【００５４】
【課題を解決するための手段】
本発明は、このような課題を解決するために、次のような特徴を備えている。なお、次に示す手段等の説明中、括弧書きにより実施の形態に対応する構成を一例として示す。符号等は、後述する図面参照符号等である。
【００５５】
請求項１記載の発明の記録装置は、
音楽情報等のデジタルデータの記録を行う記録装置（例えば、図１に示すオーディオシステム１の本体１００）において、
この記録装置に供給されたデジタルデータの一部あるいは全てを、その記録先となる所定の記録媒体に転送する前に一時的に記録するための一時記録部（例えば、図２に示すデータ記録装置ブロック１７０、より詳細にはＨＤＤ１７４）を備え、
この一時記録部に記録されたデータの一部あるいは全てを所定のタイミングで前記記録媒体に転送し、
前記デジタルデータの転送先となる記録媒体の決定前に前記一時記録部に対してそのデジタルデータの記録が終了した場合、或いは、記録先として指定された記録媒体に前記一時記録部に記録された所定デジタルデータの転送が終了する前に、その記録媒体の記録可能容量が飽和してしまう場合の何れにおいても、前記一時記録部にあるその未転送デジタルデータを破棄するか否かの確認をユーザに促すデータ破棄確認手段（例えば、図２に示す高速マイコン１８０、及びキー／ディスプレイ１９０）を更に備えることを特徴とする。
【００５６】
請求項１記載の発明によれば、音楽情報等のデジタルデータの記録を行う記録装置において、一時記録部は、この記録装置に供給されたデジタルデータの一部あるいは全てを、その記録先となる所定の記録媒体に転送する前に一時的に記録し、この一時記録部に記録されたデータの一部あるいは全てを所定のタイミングで前記記録媒体に転送するので、記録対象データは、その再生中、或いは再生後に記録媒体に転送され、記録媒体が選定されていなくても記録開始が可能であり、利便性の高い記録装置となる。また、データ破棄確認手段は、前記デジタルデータの転送先となる記録媒体の決定前に前記一時記録部に対してそのデジタルデータの記録が終了した場合、或いは、記録先として指定された記録媒体に前記一時記録部に記録された所定デジタルデータの転送が終了する前に、その記録媒体の記録可能容量が飽和してしまう場合の何れにおいても、前記一時記録部にあるその未転送デジタルデータを破棄するか否かの確認をユーザに促すので、その一時記録部に記録された全てのデータを徹底して管理することが可能となり、高い利便性と優れた操作性を有する記録装置が実現される。
【００５７】
請求項２記載の発明は、請求項１記載の記録装置において、
前記デジタルデータの記録先となる記録媒体の指定前に、そのデジタルデータを前記一時記録部に記録し、前記記録媒体の指定をその記録中あるいは記録後に行えることを特徴とする。
【００５８】
請求項２記載の発明によれば、前記デジタルデータの記録先となる記録媒体の指定前に、そのデジタルデータを前記一時記録部に記録し、前記記録媒体の指定をその記録中あるいは記録後に行うことができるので、予め総再生時間が予測できない場合においても、実際の総再生時間に適当した記録媒体の選定を行うことが可能となり、使い勝手のよい記録装置が実現できる。
【００５９】
請求項３記載の発明は、請求項１、または請求項２記載の記録装置において、
前記デジタルデータを前記一時記録部に記録中あるいは記録後、このデジタルデータを記録する記録媒体およびその記録方法の指定に必要な記録媒体指定情報を記録媒体毎に自動的に抽出する指定情報抽出手段（例えば、図２に示す高速マイコン１８０）と、
前記デジタルデータを前記一時記録部に記録中あるいは記録後、前記記録媒体指定情報をユーザに通知する指定情報通知手段（例えば、図２に示す高速マイコン１８０、及びキー／ディスプレイ１９０）と、
を備えることを特徴とする。
【００６０】
請求項３記載の発明によれば、指定情報抽出手段は、前記デジタルデータを前記一時記録部に記録中あるいは記録後、このデジタルデータを記録する記録媒体およびその記録方法の指定に必要な記録媒体指定情報を記録媒体毎に自動的に抽出し、指定情報通知手段は、前記デジタルデータを前記一時記録部に記録中あるいは記録後、前記記録媒体指定情報をユーザに通知するので、記録対象データの記録に必要な記録可能容量および記録モード等の各種情報が指定情報抽出手段により自動的に抽出され、その抽出された各種情報が装填中の記録媒体のみならず、未装填の各種記録媒体に対してもそれぞれ個別に表示される。従って、その表示内容に応じて自由かつ容易に記録媒体等の選定を行うことが可能となり、操作性の優れた記録装置となる。
【００６１】
請求項４記載の発明は、請求項３記載の記録装置において、
前記指定情報通知手段は、前記記録媒体指定情報と共に、装填中の記録媒体を指示する記録媒体指示情報をユーザに通知することを特徴とする。
【００６２】
請求項４記載の発明によれば、前記指定情報通知手段は、前記記録媒体指定情報と共に、装填中の記録媒体を指示する記録媒体指示情報をユーザに通知するので、装填中の記録媒体が何であるかを容易に把握可能となり、記録処理に係る各種設定が行い易いものとなり、きめ細かな操作性を有する記録装置となる。
【００６３】
請求項５記載の発明は、請求項３、または請求項４記載の記録装置において、
前記指定情報通知手段は、装填中の記録媒体に関する前記記録媒体指定情報を第１番目に通知することを特徴とする。
【００６４】
請求項５記載の発明によれば、前記指定情報通知手段は、装填中の記録媒体に関する前記記録媒体指定情報を第１番目に通知するので、装填中の記録媒体にデータを記録する際、その媒体に関する情報を検索する手間が省け、更に使い勝手の良い記録装置となる。
【００６５】
請求項６記載の発明は、請求項３、または請求項４記載の記録装置において、前記指定情報通知手段は、前回使用した記録媒体に関する前記記録媒体指定情報を第１番目に通知することを特徴とする。
【００６６】
請求項６記載の発明によれば、前記指定情報通知手段は、前回使用した記録媒体に関する前記記録媒体指定情報を第１番目に通知するので、前回使用した記録媒体がそのまま装填されている場合や、前回使用した記録媒体より新しい記録媒体が手元にない場合などにその記憶媒体にデータを記録する際、その媒体に関する情報を検索する手間が省け、更に操作性の良いものとなる。
【００６７】
請求項７記載の発明は、請求項３から６の何れか一項に記載の記録装置において、
前記指定情報通知手段は、前記デジタルデータを記録する記録媒体およびその記録方法の決定後、前記記録媒体指定情報を繰り返し通知可能とすることを特徴とする。
【００６８】
請求項７記載の発明によると、前記指定情報通知手段は、前記デジタルデータを記録する記録媒体およびその記録方法の決定後、前記記録媒体指定情報を繰り返し通知可能とするので、一旦記録媒体や記録方法を決定した後でも、その記録媒体や記録方法の設定の変更をするための情報を容易に得ることができるので、高い利便性を有する記憶装置となる。
【００７１】
請求項８記載の発明は、請求項１から７の何れか一項に記載の記録装置において、
前記デジタルデータの前記一時記録部への記録終了後、記録先として指定された記録媒体にその記録媒体の有する記録可能容量分だけ前記デジタルデータを転送した後、記録媒体の交換を行う記録媒体交換操作をユーザに促す旨の通知を行い、その記録媒体交換操作の終了後、同操作によって新たに装填された記録媒体にその未転送デジタルデータを記録する未転送データ記録手段（例えば、図２に示す高速マイコン１８０）を更に備えることを特徴とする。
【００７２】
請求項８記載の発明によれば、未転送データ記録手段は、前記デジタルデータの前記一時記録部への記録終了後、記録先として指定された記録媒体にその記録媒体の有する記録可能容量分だけ前記デジタルデータを転送した後、記録媒体の交換を行う記録媒体交換操作をユーザに促す旨の通知を行い、その記録媒体交換操作の終了後、同操作によって新たに装填された記録媒体にその未転送デジタルデータを記録するので、記録媒体にデータを転送している最中に、同記録媒体の記憶可能容量が不足し、全てのデータを転送し切れなくなった場合でも、別の記録媒体に交換することにより、その未転送データを無駄にすることなく継続してデータ転送処理を行うことが可能となり、高い利便性と更に優れた操作性を有する記憶装置の実現が図られる。
【００７３】
請求項９記載の発明は、請求項１から８の何れか一項に記載の記録装置において、
前記一時記録部に記録されたデジタルデータを再生可能な信号形態に変換するデータ変換手段（図２に示す、ＭＤ用ＡＴＲＡＣ・ＤＳＰ・ＬＳＩ１２１）を更に備えることを特徴とする。
【００７４】
請求項９記載の発明によれば、データ変換手段は、前記一時記録部に記録されたデジタルデータを再生可能な信号形態に変換することができるので、例えば、ＭＤからＡＴＲＡＣを介して再生された音質と同質の音楽データを、前記一時記録部から直接再生することが可能となり、外部に出力される再生データの均質化が図られる。
【００７５】
【発明の実施の形態】
以下、図１〜図１８を参照して本発明の実施の形態におけるオーディオシステム１について詳細に説明する。
図１は、本発明の一実施の形態におけるオーディオシステム１の有する本体１００とマルチＣＤドライバ２００の前面部の構成を示す要部概観図である。
【００７６】
図１の、オーディオシステム１は、ラインＬ３００を介して本体１００とマルチＣＤドライバ２００とが接続されてなるものである。本体１００の前面部には、表示部１００ａ、メニュー操作部１００ｂ、ＣＤ−Ｒ（Ｗ）主要操作部１００ｃ、ＭＤ／シリコンメモリ主要操作部１００ｄ、ＣＤ−Ｒ（Ｗ）挿入口１００ｅ、ＭＤ挿入口１００ｆ、シリコンメモリ挿入口１００ｇ、表示切り替えキー１００ｈ、及び、ＭＤ／シリコンメモリ操作切り替えキー１００ｉ等が配接される。
【００７７】
表示部１００ａは、ＬＣＤ（Liquid Crystal Display）等の表示画面、更に、その表示画面上には集中インフォメーション表示領域を備え、高速マイコン１８０（図２参照）から供給される各種表示情報を表示する（図１０、図１２〜１４、図１６、或いは図１７を参照）。また、後述するメニュー操作部１００ｂのキー操作によって、この表示画面をスクロールする、或いは、所定の表示内容に対する選択入力が行われたりする。
【００７８】
メニュー操作部１００ｂは、カーソルキー、決定キー等を備え、これら各種操作キーを操作することによって表示部１００ａ上の表示画面をスクロールしたり、或いは、各種選択入力を行ったりする。
【００７９】
ＣＤ−Ｒ（Ｗ）主要操作部１００ｃは、本体１００にセットされたＣＤ―Ｒ（Ｗ）に対する、再生（一時停止）、記録、停止、トラックアップ、或いはトラックダウン等の動作を指示する各種操作キーを備える。
【００８０】
ＭＤ／シリコンメモリ主要操作部１００ｄは、本体１００にセットされたＭＤ或いはシリコンメモリに対する、再生（一時停止）、記録、停止、トラックアップ、或いはトラックダウン等の動作を指示する各種操作キーを備える。
【００８１】
ＣＤ−Ｒ（Ｗ）挿入口１００ｅは、ＣＤ―Ｒ（Ｗ）の交換を行う為の交換口であり、このＣＤ−Ｒ（Ｗ）挿入口１００ｅを介して本体１００に対するＣＤ―Ｒ（Ｗ）の装填・開放が行われる。
【００８２】
ＭＤ挿入口１００ｆは、ＭＤの交換を行う為の交換口であり、このＭＤ挿入口１００ｆを介して本体１００に対するＭＤの装填・開放が行われる。
【００８３】
シリコンメモリ挿入口１００ｇは、シリコンメモリの交換を行う為の交換口であり、このシリコンメモリ挿入口１００ｇを介して本体１００に対するシリコンメモリの装填・開放が行われる。
【００８４】
表示切り替えキー１００ｈは、表示部１００ａ上に表示される表示画面を切り替える為の操作キーであり、ＭＤ、ＣＤ―Ｒ（Ｗ）、及びシリコンメモリにそれぞれ対応した表示画面を表示切り替えキー１００ｈの押下による押下信号に応じて順次切り替わる（図１６参照）。
【００８５】
ＭＤ／シリコンメモリ操作切り替えキー１００ｉは、ＭＤ／シリコンメモリ主要操作部１００ｄによる操作対象を、ＭＤからシリコンメモリへ、或いは、シリコンメモリからＭＤへ切り替える為のものである。
【００８６】
また、マルチＣＤドライバ２００の前面部には、マルチＣＤ格納部２００ａが配設される。このマルチＣＤ格納部２００ａは、数百枚のＣＤを格納すると共に、その格納する複数のＣＤの中からユーザの所望するＣＤの再生動作を行う。
【００８７】
図２は、本実施の形態におけるオーディオシステム１の内部構造を説明する概略ブロック図である。
【００８８】
図２の、オーディオシステム１は、ＣＤ−Ｒ（Ｗ）ブロック１１０、ＭＤブロック１２０、シリコンメモリブロック１３０、アナログ入出力選択ＳＷ１４０、Ｄ／Ａコンバータ１５０、Ａ／Ｄコンバータ１６０、データ記録装置ブロック１７０、高速マイコン１８０、キー／ディスプレイ１９０、及びマルチＣＤブロック２１０等を備え、各部は、アナログ音声信号ラインＬ１〜Ｌ８、デジタル音声信号ラインＬ９〜Ｌ１８、及び各種制御信号を搬送するラインＬ１９〜Ｌ２５を介してそれぞれ接続される。ここで、ラインＬ８、Ｌ１８、及びＬ２５は、ラインＬ３００として図１にまとめて示されている。
【００８９】
ＣＤ−Ｒ（Ｗ）ブロック１１０は、Ｌ１９を介して高速マイコン１８０から供給される制御信号に応じて動作するものであり、ＣＤ−Ｒ（Ｗ）用ＤＳＰ・ＬＳＩ１１１、ＣＤ−Ｒ（Ｗ）ロードメカ１１２、ピックアップメカ１１３、ＲＦアンプ１１４、サーボ１１５、及びＤ／Ａコンバータ１１６等を備える。
【００９０】
ＣＤ―Ｒ（Ｗ）用ＤＳＰ・ＬＳＩ１１１は、ｎ倍速ＣＤ―Ｒ（Ｗ）音声信号デコード／エンコード処理、テキストデータのｎ倍速デコード／エンコード処理等、ＣＤ―Ｒ（Ｗ）の記録・再生に係る各種デジタルデータの高速処理を行い、Ｌ９を介してデータ記録装置ブロック１７０に出力する。また、ＣＤ−Ｒ（Ｗ）用ＤＳＰ・ＬＳＩ１１１に供給されるデジタルデータは、例えば、ＲＦアンプ１１４から供給されるＲＦ信号等である。
【００９１】
ＣＤ−Ｒ（Ｗ）ロードメカ１１２は、ＣＤ−Ｒ（Ｗ）ブロック１１０に格納されたＣＤ―Ｒ（Ｗ）をＣＤ―Ｒ（Ｗ）再生部（図示略）に案内して再生可能な状態にセットすると共に、そのＣＤ―Ｒ（Ｗ）再生部にセットされたＣＤ―Ｒ（Ｗ）を元の格納場所に格納する為の機構を有する。
【００９２】
ピックアップメカ１１３は、上記ＣＤ―Ｒ（Ｗ）再生部にセットされたＣＤ―Ｒ（Ｗ）に記録された各種ＴＯＣ情報や音楽データ等をｎ倍速で読み取るための読み取りヘッド（図示略）を高速マイコン１８０からの制御信号に応じて動作させる動作機構を備える。
【００９３】
ＲＦアンプ１１４は、上記ＣＤ―Ｒ（Ｗ）再生部において読み取られたデータからＲＦ信号等を抽出し、その抽出したデータをＣＤ−Ｒ（Ｗ）用ＤＳＰ・ＬＳＩ１１１に供給する。
【００９４】
サーボ１１５は、上記ＣＤ―Ｒ（Ｗ）再生部の備える上記読み取りヘッドとＣＤ―Ｒ（Ｗ）に形成された各トラックとの間の相対的なずれを検出し、その検出したずれに基づいて上記読み取りヘッドの位置を補正するサーボ機構を備える。
【００９５】
Ｄ／Ａコンバータ１１６は、ＣＤ―Ｒ（Ｗ）用ＤＳＰ・ＬＳＩ１１１において処理された所定のデジタル音楽データをアナログ信号に変換し、ラインＬ２を介してアナログ入出力選択ＳＷ１４０に出力する。
【００９６】
ＭＤブロック１２０は、ラインＬ２０を介して高速マイコン１８０から供給される制御信号に応じて動作するものであり、ＭＤ用ＡＴＲＡＣ・ＤＳＰ・ＬＳＩ１２１、ＭＤスロットインメカ１２２、ピックアップメカ１２３、ＲＦアンプ１２４、サーボ１２５、及びＤ／Ａコンバータ１２６等を備えて構成される。
【００９７】
ＭＤ用ＡＴＲＡＣ・ＤＳＰ・ＬＳＩ１２１は、各種デジタル音楽データに対してｎ倍速ＭＤ音声信号ＡＴＲＡＣデコード／エンコード、及び音楽データの一時記録等、ＭＤの再生・記録に係る各種デジタル信号処理を高速で行い、その処理済みデジタルデータをラインＬ１１を介してデータ記録装置ブロック１７０に供給する。ここで、ＭＤ用ＡＴＲＡＣ・ＤＳＰ・ＬＳＩ１２１に供給されるデジタルデータは、例えば、ＲＦアンプ１２４から供給されるＲＦ信号等である。
【００９８】
ＭＤスロットインメカ１２２は、ＭＤをＭＤブロック１２０の備えるＭＤ再生部（図示略）にセットしたり、その再生部から開放したりする為の機構を有する。
【００９９】
ピックアップメカ１２３は、上記ＭＤ再生部にセットされたＭＤに予め記録された各種ＴＯＣ情報や音楽データ等をｎ倍速で読み取る為の読み取りヘッド（図示略）を高速マイコン１８０からの制御信号に応じて動作させる動作機構を備える。
【０１００】
ＲＦアンプ１２４は、上記ＭＤ再生部において読み取られたデータからＲＦ信号等を抽出し、その抽出したデータをＭＤ用ＡＴＲＡＣ・ＤＳＰ・ＬＳＩ１２１に供給する。
【０１０１】
サーボ１２５は、上記ＭＤ再生部の備える上記読み取りヘッドとＭＤに形成された各トラックとの間の相対的なずれを検出し、その検出したずれに基づいて上記読み取りヘッドの位置を補正するサーボ機構を備える。
【０１０２】
Ｄ／Ａコンバータ１２６は、ＭＤ用ＡＴＲＡＣ・ＤＳＰ・ＬＳＩ１２１で処理されたデジタル音楽データをアナログ信号に変換し、ラインＬ３を介してアナログ入出力選択ＳＷ１４０に出力する。
【０１０３】
シリコンメモリブロック１３０は、ラインＬ２１を介して高速マイコン１８０から供給される制御信号に応じて動作するものであり、専用データ圧縮／伸長ＤＳＰ・ＬＳＩ１３１、シリコンメモリ挿入／排出機構１３２、及びＤ／Ａコンバータ１３３等を備えて構成される。
【０１０４】
専用データ圧縮／伸長ＤＳＰ・ＬＳＩ１３１は、音声データの圧縮／伸長を行うデコーダ／エンコーダ等のデジタルデータ高速処理を行う。例として、高速ＯｐｅｎＭＧ（Magic Gate）対応ＡＴＲＡＣ３デコーダ／エンコーダが挙げられる。
【０１０５】
シリコンメモリ挿入／排出機構１３２は、シリコンメモリをシリコンメモリブロック１３０の備えるシリコンメモリ再生部（図示略）にセットしたり、そのシリコンメモリ再生部から開放したりする為の機構を有する。
【０１０６】
Ｄ／Ａコンバータ１３３は、専用データ圧縮／伸長ＤＳＰ・ＬＳＩ１３１で処理された所定のデジタル音楽データをアナログ信号に変換し、ラインＬ４を介してアナログ入出力選択ＳＷ１４０に出力する。
【０１０７】
アナログ入出力選択ＳＷ１４０は、ラインＬ２２を介して高速マイコン１８０から供給される制御信号に基づいて動作するものである。また、ラインＬ１を介して外部から供給されるアナログ信号、ラインＬ２を介してＣＤ−Ｒ（Ｗ）ブロック１１０から供給されるアナログ信号、ラインＬ３を介してＭＤブロック１２０から供給されるアナログ信号、ラインＬ４を介してシリコンメモリブロック１３０から供給されるアナログ信号、或いはラインＬ８を介してマルチＣＤドライバ２００から供給されるアナログ信号は、何れも、ラインＬ６を介して外部に出力されたり、或いはラインＬ７を介してＡ／Ｄコンバータ１６０に供給される。
【０１０８】
Ｄ／Ａコンバータ１５０は、ラインＬ１６を介してデータ記録装置ブロック１７０より供給されるデジタル音楽データをアナログ信号に変換し、ラインＬ５を介してアナログ入出力選択ＳＷ１４０に出力する。
【０１０９】
Ａ／Ｄコンバータ１６０は、ラインＬ７を介してアナログ入出力選択ＳＷ１４０から供給されるアナログ信号をデジタル信号に変換し、ラインＬ１５を介してデータ記録装置ブロック１７０に供給する。
【０１１０】
データ記録装置ブロック１７０は、ラインＬ２３を介して高速マイコン１８０から供給される制御信号に応じて動作するものであり、デジタル入力選択ＳＷ１７１、デジタル入力デコーダ１７２、記録媒体制御装置１７３、ＨＤＤ１７４、及びデジタル信号出力装置１７５等を備える。
【０１１１】
デジタル入力選択ＳＷ１７１は、ラインＬ９を介してＣＤ−Ｒ（Ｗ）ブロック１１０から供給されるデジタルデータ、ラインＬ１１を介してＭＤブロック１２０から供給されるデジタルデータ、ラインＬ１３を介してシリコンメモリブロック１３０から供給されるデジタルデータ、或いはラインＬ１８を介してマルチＣＤブロック２１０から供給されるデジタルデータの入力を切り替えるためのスイッチである。
【０１１２】
デジタル入力デコーダ１７２は、ＣＤ−Ｒ（Ｗ）ブロック１１０、ＭＤブロック１２０、シリコンメモリブロック１３０、及び、マルチＣＤブロック２１０から供給される所定の圧縮符号化デジタル音楽データをデコードしてＨＤＤ１７４に転送する。
【０１１３】
記録媒体制御装置１７３は、ＣＤ−Ｒ（Ｗ）ブロック１１０、ＭＤブロック１２０、及びシリコンメモリブロック１３０との間で記録動作に係る連携動作を制御する為のものであり、後述するデジタル信号出力装置１７５から出力されたデジタル音楽データをこれら各記録媒体に記録する動作タイミングを制御する。
【０１１４】
ＨＤＤ（Hard Disc Drive）１７４は、図３に示すように、入力データ記録エリア１７４ａ、仮想記録エリア１７４ｂを備え、ＣＤ−Ｒ（Ｗ）ブロック１１０、ＭＤブロック１２０、シリコンメモリブロック１３０、及び、マルチＣＤブロック２１０から供給される大容量のデジタル音楽データを一時記録し、その一時記録した大量のデータをＣＤ−Ｒ（Ｗ）ブロック１１０に供給する為のデータ、ＭＤブロック１２０に供給する為のデータ、或いはシリコンメモリブロック１３０に供給する為のデータのそれぞれに分配し、その分配したデータを入力データ記録エリア１７４ａにそれぞれ個別に記録して管理する。
【０１１５】
上記入力データ記録エリア１７４ａに分配して記録されたデータは、ＣＤ−Ｒ（Ｗ）ブロック１１０、ＭＤブロック１２０、或いはシリコンメモリブロック１３０に直接出力される前に、仮想記録エリア１７４ｂに仮想記録される。この仮想記録エリア１７４ｂに記録されたデータは、所定の動作タイミングでＣＤ−Ｒ（Ｗ）ブロック１１０、ＭＤブロック１２０、或いはシリコンメモリブロック１３０に随時転送される。
【０１１６】
仮想記録エリア１７４ｂに記録されたデータは、ＭＤ等の記録媒体を介さずに直接再生可能である。その際、その再生データは、仮想記録エリア１７４ｂからラインＬ１６を介してＤ／Ａコンバータ１５０に供給され、Ｄ／Ａコンバータ１５０でアナログ信号に変換され、ラインＬ５を介してアナログ入出力選択ＳＷ１４０に出力される。
【０１１７】
なお、上記仮想記録エリア１７４ｂに記録されたデータをＭＤ等の記録媒体を介さずに直接再生する場合、ＭＤ等から再生する場合と同質のデジタル音楽データを出力する為に、ＭＤ用ＡＴＲＡＣ・ＤＳＰ・ＬＳＩ１２１を介してＡＴＲＡＣエンコード／デコード処理を施すことも可能である。ここで、図４に基づいて、仮想記録エリア１７４ｂのデータをＡＴＲＡＣエンコード／デコード処理を施して再生する場合のデジタル音楽データの流れを説明する。
【０１１８】
図４は、ＭＤ用ＡＴＲＡＣ・ＤＳＰ・ＬＳＩ１２１の内部構成を説明する要部ブロック図である。
図４に示すように、ＭＤ用ＡＴＲＡＣ・ＤＳＰ・ＬＳＩ１２１は、コントローラ１２１ａ、及びコントローラ１２１ａからの制御信号に応じてＡＴＲＡＣエンコード処理するＡＴＲＡＣエンコーダ１２１ｂ、そのＡＴＲＡＣエンコード処理されたデータを一時記録する為のＤＲＡＭ（Dynamic Random Access Memory）１２１ｃ、及び、前記制御信号に応じてそのＤＲＡＭ１２１ｃに記録されたＡＴＲＡＣエンコード化データをデコード処理するためのＡＴＲＡＣデコーダ１２１ｄを備える。
【０１１９】
ラインＬ１２を介して仮想記録エリア１７４ｂからＡＴＲＡＣエンコーダ１２１ｂに供給されたデジタル音楽データは、ＡＴＲＡＣエンコーダ１２１ｂでＡＴＲＡＣエンコード化され、ＤＲＡＭ１２１ｃにおいて一時記録される。その一時記録されたＡＴＲＡＣエンコード化データは、ラインＬ１２２を介してＡＴＲＡＣデコーダ１２１ｄに供給され、そこでＡＴＲＡＣデコード処理される。そのＡＴＲＡＣデコードされたデジタル音楽データはＤ／Ａコンバータ１２６でアナログ信号に変換され、ラインＬ３を介してアナログ入出力選択ＳＷ１４０に出力される。
【０１２０】
ここで再び図２の説明に戻る。高速マイコン１８０は、ＣＤの再生等の各種制御処理、ＭＤの再生／記録に係る各種制御処理、ＣＤ―Ｒ（Ｗ）の再生／記録に係る各種制御処理、シリコンメモリの再生／記録等の各種制御処理を行う。また、高速マイコン１８０は、ＭＤのダビング動作制御、シリコンメモリのダビング動作制御、及びＣＤ―Ｒ（Ｗ）のダビング動作制御等の、各種連携動作処理を行う。
【０１２１】
更に、高速マイコン１８０は、タイトル表示、タイトル操作、トラック操作等、ＭＤの各種ＵＴＯＣ（User Table of Contents）処理、シリコンメモリの各種データ処理、マルチＣＤ、ＣＤ―Ｒ（Ｗ）の各ディスクに記録されたテキストデータのデータ処理、及び、これらテキストデータの各種複製処理を行う。また、高速マイコン１８０は、音声入出力切り替え制御処理、キー入力処理、各種表示処理、内蔵ＲＡＭおよび仮想記録データ管理処理、及び、データ一時記録装置の制御処理等を行う。
【０１２２】
キー／ディスプレイ１９０は、ラインＬ２４を介して高速マイコン１８０から供給される制御信号に基づいて動作するものであり、本体１００の前面部（図１参照）に備わる各種操作キーの押下による押下信号を高速マイコン１８０に供給する。また、ディスプレイは、同前面部に配設される表示部１００ａであり、高速マイコン１８０から供給される各種表示情報、例えば、各種メッセージ情報、集中インフォメーション表示情報、各種時間情報、各種再生／記録情報、ＣＤテキスト情報、ＭＤタイトル情報、シリコンメモリ各種情報、及び、ＭＤ各種編集情報（タイトル編集情報、トラック編集情報）等の各種表示情報（漢字対応）が表示される。
【０１２３】
マルチＣＤブロック２１０は、ＣＤ用ＤＳＰ・ＬＳＩ２１１、マルチＣＤロードメカ２１２、ピックアップメカ２１３、ＲＦアンプ２１４、サーボ２１５、及びＤ／Ａコンバータ２１６等を備えて構成される。
【０１２４】
ＣＤ用ＤＳＰ・ＬＳＩ２１１は、ｎ倍速ＣＤ音声信号デコード処理等、ＣＤの記録・再生に係る各種デジタルデータを高速に処理する。このデジタルデータは、例えば、ＲＦアンプ２１４から供給されるＲＦ信号等である。
【０１２５】
マルチＣＤロードメカ２１２は、内蔵するＣＤトレー（図示略）に格納された複数のＣＤの中から、ユーザの所望する特定のＣＤをＣＤ再生部（図示略）に案内して再生可能な状態にセットすると共に、そのＣＤ再生部にセットされたＣＤを上記ＣＤトレーに格納する為の機構を有する。
【０１２６】
ピックアップメカ２１３は、上記ＣＤ再生部にセットされたＣＤに予め記録された各種ＴＯＣ情報や音楽データ等を読み取る為の読み取りヘッド（図示略）を高速マイコン１８０からの制御信号に応じて動作させる動作機構を備える。
【０１２７】
ＲＦアンプ２１４は、上記ＣＤ再生部により読み取られたデータからＲＦ信号等を抽出し、その抽出したデータをＣＤ用ＤＳＰ・ＬＳＩ２１１に供給する。
【０１２８】
サーボ２１５は、上記ＣＤ再生部の備える上記読み取りヘッドとＣＤに形成された各トラックとの間の相対的なずれを検出し、その検出したずれに基づいて上記読み取りヘッドの位置を補正するサーボ機構を備える。
【０１２９】
Ｄ／Ａコンバータ２１６は、ＣＤ用ＤＳＰ・ＬＳＩ２１１において処理された所定のデジタル音楽データをアナログ信号に変換し、ラインＬ８を介してアナログ入出力選択ＳＷ１４０に出力する。
【０１３０】
次に動作の説明をする。
図５は、本実施の形態におけるオーディオシステム１のＭＤブロック１２０の動作を説明するフローチャートである。
【０１３１】
まず、高速マイコン１８０は、ＭＤブロック１２０のＭＤ再生部（図示略）にＭＤが装填されているか否かを判定し（ステップＳ１）、ＭＤが装填されていなければ（ステップＳ１；Ｎｏ）、ステップＳ１におけるＭＤの装填の監視を継続し、ＭＤが装填されていれば（ステップＳ１；Ｙｅｓ）、そのＭＤに予め記録済みの各種ＴＯＣ情報を読み取る（ステップＳ２）。
【０１３２】
次いで、高速マイコン１８０は、上記ＭＤ再生部に装填されたＭＤを開放するための指示入力があるか否かを判定し（ステップＳ３）、同再生部からＭＤを開放する為の指示入力がある場合（ステップＳ３；Ｙｅｓ）、ＭＤの開放に係る一連の動作を実行した後（ステップＳ４）、ステップＳ１に移行する（図９参照）。
【０１３３】
ステップＳ３において、上記ＭＤ再生部からＭＤを開放する為の指示入力がない場合（ステップＳ３；Ｎｏ）、高速マイコン１８０は、同再生部に装填されたＭＤを再生する為の指示入力があるか否かを判定する（ステップＳ５）。
【０１３４】
ステップＳ５において、ＭＤを再生する為の指示入力がある場合（ステップＳ５；Ｙｅｓ）、高速マイコン１８０は、そのＭＤの再生処理を行った後（ステップＳ４）、ステップＳ３に移行する（図７参照）。一方、ステップＳ５において、そのＭＤを再生する為の指示入力がない場合（ステップＳ５；Ｎｏ）、高速マイコン１８０は、上記ＭＤ再生部に装填されたＭＤを記録する為の指示入力があるか否かを判定する（ステップＳ７）。
【０１３５】
ステップＳ７において、ＭＤに対して所定データを記録する為の指示入力がある場合（ステップＳ７；Ｙｅｓ）、高速マイコン１８０は、そのＭＤに対する記録処理を行った後（ステップＳ８）、ステップＳ３に移行する（図６参照）。一方、ステップＳ７において、そのＭＤに対して所定データを記録する為の指示入力がない場合（ステップＳ７；Ｎｏ）、高速マイコン１８０は、そのＭＤに係る各種処理を停止する為の準備を行い（ステップＳ９）、ステップＳ３に移行する（図８参照）。
【０１３６】
図６は、オーディオシステム１に装填されたＭＤに対する記録処理を説明するフローチャートである。
【０１３７】
まず、高速マイコン１８０は、再生中のＭＤから供給されたデジタル音楽データをデータ記録装置ブロック１７０の有する仮想記録エリア１７４ｂに仮想記録する（ステップＳ１０）。
【０１３８】
次いで、高速マイコン１８０は、仮想記録エリア１７４ｂに記録可能容量があるか否かを判定し（ステップＳ１１）、仮想記録エリア１７４ｂに記録可能容量がない場合（ステップＳ１１；Ｙｅｓ）、一連の記録処理を終了する。
【０１３９】
ステップＳ１１において、仮想記録エリア１７４ｂに記録可能容量がある場合（ステップＳ１１；Ｎｏ）、高速マイコン１８０は、このＭＤに対する記録処理の停止を指示する指示入力があるか否かを判定し（ステップＳ１２）、記録処理の停止を指示する指示入力がある場合（ステップＳ１２；Ｙｅｓ）、この一連の記録処理を終了する。
【０１４０】
ステップＳ１２において、記録処理の停止を指示する指示入力がない場合（ステップＳ１２；Ｎｏ）、高速マイコン１８０は、ステップＳ１０に移行する。
【０１４１】
図７は、オーディオシステム１に装填されたＭＤに対する再生処理を説明するフローチャートである。
【０１４２】
まず、高速マイコン１８０は、ＭＤから再生されたデジタル音楽データが仮想記録エリア１７４ｂに記録されているか否かを判定し（ステップＳ２０）、仮想記録エリア１７４ｂに記録されている場合（ステップＳ２０；Ｙｅｓ）、仮想記録エリア１７４ｂに記録されているデジタル音楽データを外部に出力し（ステップＳ２１）、ステップＳ２３に移行する。
【０１４３】
ステップＳ２０において、ＭＤから再生されたデジタル音楽データが仮想記録エリア１７４ｂに記録されていない場合（ステップＳ２０；Ｎｏ）、高速マイコン１８０は、ＭＤから再生されたデジタル音楽データを直接外部に出力し（ステップＳ２２）、ステップＳ２３に移行する。
【０１４４】
次いで、ステップＳ２１の後、高速マイコン１８０は、ＭＤの再生動作が終了したか否かを判定し（ステップＳ２３）、その再生動作が終了した場合（ステップＳ２３；Ｙｅｓ）、この一連のＭＤ再生処理を終了する。
【０１４５】
ここで、再生処理の終了とは、例えば、ＭＤの全曲を再生した場合、１曲目から最後の曲までを再生したことを意味し、また、１曲のみ再生する場合、その曲のみの再生が終了したことを意味し、或いはまた、プログラムによって複数ＭＤにまたがって再生される場合、そのプログラムに登録された全ての曲が再生されたことを意味するものである。
【０１４６】
ステップＳ２３において、ＭＤの再生動作がまだ終了していない場合（ステップＳ２３；Ｎｏ）、そのＭＤの再生動作の停止を指示する指示入力があるか否かを判定する（ステップＳ２４）。
【０１４７】
ステップＳ２４において、ＭＤの再生動作の停止を指示する指示入力がない場合（ステップＳ２４；Ｎｏ）、高速マイコン１８０は、ステップＳ２０に移行する。
【０１４８】
また、ステップＳ２４において、ＭＤの再生動作の停止を指示する指示入力がある場合（ステップＳ２４；Ｙｅｓ）、この一連のＭＤ再生処理を終了する。
【０１４９】
図８は、オーディオシステム１に装填されたＭＤに係る各種処理を停止する為の準備処理を説明するフローチャートである。
【０１５０】
高速マイコン１８０は、データ記録装置ブロック１７０内に記録されたデジタル音楽データのうち、ＭＤブロック１２０に転送されていない未転送データがあるか否かを判定し（ステップＳ３０）、未転送データがない場合（ステップＳ３０；Ｎｏ）、この準備処理を終了する。
【０１５１】
ステップＳ３０において、ＭＤに転送されていない未転送データがある場合（ステップＳ３０；Ｙｅｓ）、高速マイコン１８０は、その未転送データをＭＤに転送し（ステップＳ３１）、この準備処理を終了する。この場合、転送処理が滞らないようにする為に、上記未転送データを小さな容量のデータに分割したものの一部を転送するものとする。
【０１５２】
図９は、オーディオシステム１に装填されたＭＤを開放する為の開放処理を説明するフローチャートである。
高速マイコン１８０は、データ記録装置ブロック１７０内に記録されたデジタル音楽データのうち、ＭＤブロック１２０に転送されていない未転送データがあるか否かを判定し（ステップＳ４０）、未転送データがない場合（ステップＳ４０；Ｎｏ）、ステップＳ４２に移行する。
【０１５３】
ステップＳ４０において、ＭＤブロック１２０に転送されていない未転送データがある場合（ステップＳ４０；Ｙｅｓ）、高速マイコン１８０は、その未転送データを一度に全てＭＤブロック１２０に転送し（ステップＳ４１）、その転送したデータをＭＤに記録した後（ステップＳ４２）、ＭＤを開放する（ステップＳ４３）。
【０１５４】
ここで、表示部１００ａに表示されたＭＤを開放する際のデータ転送動作中の表示例として表示画面１０１ａを図１０に示す。
【０１５５】
図１０に示す表示画面１０１ａは、“ＭＤ  ＥＪＥＣＴ”の表示により、ＭＤの開放動作を行っている最中であることを通知し、“データ転送中。ちょっと待ってね。”の表示により、未転送データをデータ記録装置ブロック１７０からＭＤブロック１２０へ転送中であることを通知し、“推定待ち時間  残り０５：１０”の表示により、上記未転送データのＭＤブロック１２０への転送に係る時間が推定５分１０秒であることを通知している。
【０１５６】
また、図中符号Ａに示すアイコンの点滅表示により、ＭＤの開放動作が実行中であることが容易に確認できるようになっている。また、音楽データの記録処理に係る各種情報が表示される集中インフォメーション表示画面１０２ａは空白となっている。
【０１５７】
なお、記録装置は、ＨＤＤ１７４に限定するものではなく、大容量データを蓄積可能であり、データの入出力が高速に行えるものであれば、ＤＲＡＭ、ＳＲＡＭ、或いはフラッシュＲＯＭ等、何れでも良い。
【０１５８】
以上、図５〜図９に示した動作は、ＭＤのみならず、ＣＤ−Ｒ（Ｗ）ブロック１１０や、シリコンメモリブロック１３０に対しても同様に行われるものである。
【０１５９】
図１１は、本発明の一実施の形態におけるオーディオシステム１による、ＣＤから再生されたデジタル音楽データをＣＤ―Ｒ（Ｗ）、ＭＤ、或いはシリコンメモリ等の記録媒体に記録する際の動作を説明するフローチャートである。
【０１６０】
まず、ユーザによって、記録対象となるＣＤ、およびその楽曲が選択され、更に、その選択されたＣＤが複数である場合や、単一のＣＤであっても選択された楽曲が複数である場合、それら複数のＣＤや楽曲の記録順を指定するプログラムの設定が行われ、記録対象データの選定が行われる（ステップＳ５００）。
【０１６１】
次いで、高速マイコン１８０は、ステップＳ５００において選択された上記記録対象データの総再生時間を計算した後（ステップＳ５０１）、ＣＤ−Ｒ(Ｗ)主要操作部１００ｃ、或いはＭＤ／シリコンメモリ主要操作部１００ｄの備える記録操作キー（図示略）の押下による押下信号に応じてその記録対象データのＨＤＤ１７４への記録処理を開始する（ステップＳ５０２）。
【０１６２】
次いで、高速マイコン１８０は、上記記録対象データの再生処理が終了したか否かを判定し（ステップＳ５０３）、その再生処理が終了した場合（ステップＳ５０３；Ｙｅｓ）、未記録データを削除するか否かの選択入力を要求する表示内容を表示し（ステップＳ５０４）、その未記録データを削除する旨の選択入力が行われたか否かを判定する（ステップＳ５０５）。
【０１６３】
ここで、再生処理の終了とは、例えば、ＣＤの全曲を再生した場合、１曲目から最後の曲までを再生したことを意味し、また、１曲のみ再生する場合、その曲のみの再生が終了したことを意味し、或いはまた、プログラムによって複数ＣＤにまたがって再生される場合、そのプログラムに登録された全ての曲が再生されたことを意味するものである。
【０１６４】
ステップＳ５０５において、未記録データを削除する選択入力が行われた場合（ステップＳ５０５；Ｙｅｓ）、高速マイコン１８０は、未記録データを削除し（ステップＳ５０６）、この一連の記録操作を終了する。
【０１６５】
ステップＳ５０５において、未記録データを削除する選択入力が行われなかった場合（ステップＳ５０５；Ｎｏ）、高速マイコン１８０は、上記記録対象データを記録する記録媒体（ＣＤ―Ｒ（Ｗ）、ＭＤ、或いはシリコンメモリ）、或いは記録モード（ステレオモード、モノラルモード等）が選定されたか否かを判定し（ステップＳ５０７）、上記記録媒体、或いは記録モードの選定が行われていない場合（ステップＳ５０７；Ｎｏ）、ステップＳ５０４に移行し、また、上記記録媒体、或いは記録モードが選定された場合（ステップＳ５０７；Ｙｅｓ）、この一連の処理を終了する。
【０１６６】
再び、ステップＳ５０３に戻って説明する。ステップＳ５０３において、上記再生処理が終了していない場合（ステップＳ５０３；Ｎｏ）、高速マイコン１８０は、ステップＳ５０１において計算済みの予測総再生時間に適合する記録媒体の候補リストを表示部１００ａ上に表示する（ステップＳ５０８）。
【０１６７】
次いで、高速マイコン１８０は、上記記録媒体（ＣＤ―Ｒ（Ｗ）、ＭＤ、或いはシリコンメモリ）、或いは記録モード（ステレオモード、モノラルモード等）が選定されたか否かを判定する（ステップＳ５０９）。その記録媒体、或いは記録モードの選定が行われていない場合（ステップＳ５０９；Ｎｏ）、高速マイコン１８０は、ステップＳ５０３に移行する。また、その記録媒体、或いは記録モードが選定された場合（ステップＳ５０９；Ｙｅｓ）、高速マイコン１８０は、上記再生処理が終了したか否かを判定し（ステップＳ５１０）、その再生処理が終了した場合（ステップＳ５１０；Ｙｅｓ）、この一連の記録処理を終了する。
【０１６８】
ここで、再生処理の終了とは、例えば、ＣＤの全曲を再生した場合、１曲目から最後の曲までを再生したことを意味し、また、１曲のみ再生する場合、その曲のみの再生が終了したことを意味し、或いはまた、プログラムによって複数ＣＤにまたがって再生される場合、そのプログラムに登録された全ての曲が再生されたことを意味するものである。
【０１６９】
ステップＳ５１０において、上記再生処理が終了していない場合（ステップＳ５１０；Ｎｏ）、高速マイコン１８０は、当該データを記録中である旨のメッセージを表示部１００ａに表示し（ステップＳ５１１）、ステップＳ５０９において選定された記録媒体、或いは記録モードにおいて記録可能な時間内に上記記録処理が完了できるか否かを判定する（ステップＳ５１２）。
【０１７０】
ステップＳ５１２において、その記録媒体、或いは記録モードで記録可能な時間内にこの記録処理が完了できない場合（ステップＳ５１２；Ｎｏ）、高速マイコン１８０は、ステップＳ５１０に移行し、また、上記記録可能時間内に上記記録処理が完了できる場合（ステップＳ５１２；Ｙｅｓ）、この一連の記録処理を終了する。
【０１７１】
次いで、図１１のステップＳ５０７において、記録媒体（ＣＤ―Ｒ（Ｗ）、ＭＤ、或いはシリコンメモリ）、或いは記録モード（ステレオモード、モノラルモード等）の選定を行うために必要な情報を表示する表示画面１０３ａを図１２に示す。
【０１７２】
図１２に示す表示画面１０３ａは、“全曲  ＣＤ  ０１”の表示により、１番目のＣＤの全曲を記録する記録処理が行われていることを示し、“５：１５”の表示により、記録開始から既に５分１５秒が経過したことを示し、“記録先を選んで記録キーをもう一度押して”を点滅表示することにより、現在、記録媒体が未だ選択されておらず、その選択が行われなければならないことを示し、“現在７８：１０の空きが必要です”の表示により、ステップＳ５０１で計算された総再生時間が７８分１０秒であることを示している。
【０１７３】
また、表示画面１０３ａ内には、集中インフォメーション表示画面１０４ａが表示され、上記総再生時間が７８分１０秒である音楽データをＭＤに記録する為に必要な各種記録情報が表示されている。すなわち、集中インフォメーション表示画面１０４ａは、“現在セットされていません”の表示により、現在、ＭＤが未装填であることを示し、“ＳＴＥＲＥＯ”を二重枠で表示することにより、ステレオ（ＳＴＥＲＥＯ）モードが選択されていることを示している。また、集中インフォメーション表示画面１０４ａは、“６０ｍｉｎ：入りません”、及び“７４ｍｉｎ：入りません”の表示により、上記総再生時間が７８分１０秒である音楽データは、ステレオモードで７４分記録用ＭＤ、及び６０分記録用ＭＤに記録することはできないことを示し、“８０ｍｉｎ：完全に記録可能です”の表示により、ステレオモードで８０分用ＭＤに上記音楽データを全て記録することが可能であることを示している。更に、“ＭＯＮＯ”に続く“８０ｍｉｎ：完全に記録可能です”の表示により、モノラル（ＭＯＮＯ）モードで８０分記録用ＭＤに上記音楽データを全て記録することが可能であることを示している。
【０１７４】
ここで、ＳＴＥＲＥＯ／ＭＯＮＯの記録モードの切り替えは、メニュー操作部１００ｂの備えるＳＴＥＲＥＯ／ＭＯＮＯ切り替えキー（図示略）の切り替え操作により切り替わる。また、メニュー操作部１００ｂの備えるスクロールキー（図示略）の操作により集中インフォメーション表示画面１０４ａ上の内容全体がスクロール表示される。
【０１７５】
上記集中インフォメーション表示画面の表示例を図１３、図１４に示す。
図１３は、集中インフォメーション表示画面１０４ａ上の全内容であり、図１４は、一部使用済みＭＤが装填されている場合に表示される集中インフォメーション表示画面１０５ａ上の全内容である。
【０１７６】
図１２に示す表示画面１０３ａ内の集中インフォメーション表示画面１０４ａには“ＭＯＮＯ”に続く“８０ｍｉｎ：完全に記録可能です。”まで表示されていたが、図１３の集中インフォメーション表示画面１０４ａに示す“ＭＯＮＯ”および“８０ｍｉｎ：完全に記録可能です。”に続く“７４ｍｉｎ：完全に記録可能です。”や、“６０ｍｉｎ：完全に記録可能です。”は、集中インフォメーション表示画面１０４ａに対するスクロール操作により表示可能である。
【０１７７】
図１４に示す集中インフォメーション表示画面１０５ａは、“８０ｍｉｎ  残り５０：４０”の表示により、装填されたＭＤが８０分記録用ＭＤで一部使用済みであり、そのＭＤへの記録可能時間がステレオ（ＳＴＥＲＥＯ）モードで５０分４０秒であることを示している。更に、集中インフォメーション表示画面１０５ａは、“ＳＴＥＲＥＯ”に続く“８０ｍｉｎ：残り５０：４０で入りません。”の表示により、再生総時間が７８分１０秒のデータ（図１２参照）を、ステレオモードで上記装填された一部使用済みＭＤ（ステレオモード記録可能時間５０分４０秒）に記録することはできないことを示している。
【０１７８】
また、集中インフォメーション表示画面１０５ａは、“ＭＯＮＯ”に続く“８０ｍｉｎ：残り１０１：２０で完全に記録可能です。”の表示により、総再生時間が７８分１０秒のデータ（図１２参照）を、モノラル（ＭＯＮＯ）モードで上記装填された一部使用済みＭＤ（モノラルモード記録可能時間１０１：２０）に記録可能であることを示している。ここで、図中符号Ｂに示すポイント（“＊”マーク）を付すことにより、現在装填中のＭＤの記録容量を容易に確認することが可能となっている。
【０１７９】
表示部１００ａに表示される表示内容は、所定のデジタル音楽データをＭＤ、ＣＤ―Ｒ（Ｗ）、或いはシリコンメモリ等の記録媒体へ記録する為にそれぞれ必要な情報であり、これら記録媒体毎に表示される表示画面が表示切り替えキー１００ｈのキー操作により順次切り替え可能である。
【０１８０】
次に、表示部１００ａに表示される表示画面の切り替え動作を説明する。
図１５は、表示部１００ａに表示される表示画面の切り替え動作を説明するフローチャートであり、図１６は、ＭＤ、及びＣＤ―Ｒ（Ｗ）が未装填で、シリコンメモリのみ装填された場合に、表示部１００ａに表示される表示画面１０６ａ〜１０８ａが順次切り替わる様子を説明する動作説明図である。
【０１８１】
まず、高速マイコン１８０は、データ記録装置ブロック１７０にＣＤ等から再生されたデジタル音楽データを記録中であるか否かを判定し（ステップＳ６０）、記録中でない場合（ステップＳ６０；Ｎｏ）、表示部１００ａの表示画面を切り替えるための動作以外の処理を行う（ステップＳ６６）。
【０１８２】
ステップＳ６０において、上記再生されたデジタル音楽データを記録中である場合（ステップＳ６０；Ｙｅｓ）、高速マイコン１８０は、ＭＤの情報を表示部１００ａに表示中であるか否かを判定し（ステップＳ６１）、ＭＤの情報が表示部１００ａに表示中であれば（ステップＳ６１；Ｙｅｓ）、表示切り替えキー１００ｈの押下による押下信号に応じて表示部１００ａにＣＤ―Ｒ（Ｗ）の情報をＭＤの情報に替わって表示する（ステップＳ６２）。
【０１８３】
図１６に示す表示画面１０６ａは、上記表示部１００ａに表示されるＭＤ情報の表示例である。表示画面１０６ａは、“全曲  ＣＤ  ０１    ５：１５”の表示により、１番目のＣＤを全曲記録する記録処理の最中であり、すでに５分１５秒記録済み（再生済み）であることを示している。更に、表示画面１０６ａの集中インフォメーション表示画面１０６ｂは、“ＭＤ  現在セットされていません。”の表示により、ＭＤは未装填であることを示している。
【０１８４】
また、図１６に示す表示画面１０７ａは、上記表示部１００ａに表示されるＣＤ―Ｒ（Ｗ）情報の表示例である。表示画面１０７ａは、“全曲  ＣＤ  ０１  ５：１７”の表示により、１番目のＣＤを全曲記録する記録処理の最中であり、すでに５分１７秒記録済み（再生済み）であることを示している。すなわち、表示画面１０６ａの画面表示から既に２秒経過したことがわかる。更に、表示画面１０７ａの集中インフォメーション表示画面１０７ｂは、“ＣＤ―Ｒ（Ｗ）  現在セットされていません。”の表示により、ＣＤ―Ｒ（Ｗ）は未装填であることを示している。
【０１８５】
ステップＳ６１において、ＭＤ情報が表示部１００ａに表示中でない場合（ステップＳ６１；Ｎｏ）、高速マイコン１８０は、ＣＤ―Ｒ（Ｗ）情報を表示部１００ａに表示中であるか否かを判定し（ステップＳ６３）、ＣＤ―Ｒ（Ｗ）情報が表示部１００ａに表示中であれば（ステップＳ６３；ｙｅｓ）、表示切り替えキー１００ｈの押下による押下信号に応じて表示部１００ａにシリコンメモリ情報をＣＤ―Ｒ（Ｗ）情報に替わって表示する（ステップＳ６４）。
【０１８６】
ステップＳ６３において、ＣＤ―Ｒ（Ｗ）情報が表示部１００ａに表示中でない場合（ステップＳ６３；Ｎｏ）、高速マイコン１８０は、表示切り替えキー１００ｈの押下による押下信号に応じて表示部１００ａにＭＤ情報をシリコンメモリ情報に替わって表示する（ステップＳ６５）。
【０１８７】
図１６に示す表示画面１０８ａは、上記表示部１００ａに表示されるシリコンメモリ情報の表示例である。表示画面１０８ａは、“全曲  ＣＤ  ０１    ５：１９”の表示により、１番目のＣＤを全曲記録する記録処理の最中であり、すでに５分１９秒記録済み（再生済み）であることを示している。すなわち、表示画面１０７ａの画面表示から更に２秒経過したことがわかる。更に、表示画面１０８ａの集中インフォメーション表示画面１０８ｂは、“シリコンメモリ  ６４ＭＢ残り８０：００”の表示、及び“１０５ｋｂｐｓ（標準）”の二重枠表示により、６４ＭＢ記録用のシリコンメモリが装填中であり、そのシリコンメモリは１０５ｋｂｐｓ記録モードで８０分の記録可能時間を有していることを示している。
【０１８８】
従って、表示部１００ａに表示される表示内容は、表示切り替えキー１００ｈを操作することによって随時切り替え可能であるので、再生データを記録する為に必要な記録可能容量をＣＤ―Ｒ（Ｗ）、ＭＤ、或いはシリコンメモリ毎に容易に確認することが可能である。
【０１８９】
また、図１１のステップＳ５０６においてＨＤＤ１７４に記録されたデジタル音楽データを消去する際に表示された表示画面１０９ａを図１７に示す。
【０１９０】
図１７に示す表示画面１０９ａは、“ＣＤ  ７８：１０再生終了しました。”の表示により、ＣＤの再生処理に係る時間が７８分１０秒であったことを示し、“破棄するなら[Ｃ]キー”の表示により、“Ｃ”キーを押下することによって上記ＨＤＤ１７４に記録された再生データが消去されることを示す。
【０１９１】
以上説明したように、本実施の形態におけるオーディオシステム１によれば、大容量のデータ記録装置ブロック１７０を設け、ここに記録対象データを仮想的に記録し、記録・再生のうち何れの動作も行われていない時間にその記録対象データを所定の記録媒体に転送する。また、上記記録・再生時において、それら記録媒体に記録する際に必要となる総再生時間等の各種情報が高速マイコン１８０により自動的に計算され、その計算された内容が記録媒体毎に表示部１００ａ上に表示される。
【０１９２】
従って、記録対象データは、その再生中、或いは再生後に記録媒体に転送されるので、記録媒体が選定されていなくても記録開始が可能であり、また、予め総再生時間が予測できない場合においても、実際の総再生時間に適合した記録媒体の選定を行うことが可能となり、利便性の高いオーディオシステム１となる。
【０１９３】
データ記録装置ブロック１７０に一時記録された記録対象データを再生して外部に出力する場合、そのデータをＡＴＲＡＣエンコード／デコード処理することによって、ＭＤ等の記録媒体から再生されたデータと同質のものとすることが可能となり、外部に出力される再生データの均質化が図られる。
【０１９４】
また、記録対象データの記録に必要な記録可能容量および記録モード等の各種情報が高速マイコン１８０により自動的に抽出され、その抽出された各種情報が本体１００に装填中の記録媒体のみならず、未装填の各種記録媒体に対してもそれぞれ個別に表示されるので、その表示内容に応じて自由かつ容易に記録媒体および記録モードの選定を行うことが可能となる。
【０１９５】
更に、これら記録媒体毎に表示部１００ａに表示される各種表示情報は、記録対象データの再生中や再生後、或いは記録媒体の選定が行われた後においても高速マイコン１８０により随時計算され、その計算された内容を表示部１００ａに表示することが可能である。従って、その表示内容に応じて記録媒体および記録モードの変更が随時可能となるので、その変更された記録媒体、及び記録モードで再記録することができる等、柔軟性に富む操作性を実現できる。
【０１９６】
また、データ記録装置ブロック１７０に一時記録された記録対象データのうち、何れの記録媒体に対しても転送されずに残留しているデータが存在する場合、その残留データを消去するか否かの選択入力が要求されるので、きめ細かな操作性を有するオーディオシステム１となる。
【０１９７】
また、データ記録装置ブロック１７０からデータを転送中に記録媒体の記録可能容量が不足した場合、その記録媒体に記録可能なデータが全て転送され、その後直ちに記録媒体の交換を促すメッセージが表示され、その表示内容に応じて記録媒体の交換が行われた後、引き続き記録処理を継続することができる。従って、記録対象データの容量が大きくて単一の記録媒体に記録することができなくても、そのデータを全て複数の記録媒体に記録することが可能となり、操作性に優れたオーディオシステム１を実現できる。
【０１９８】
なお、本発明は、上記実施の形態の内容に限定されるものではなく、本発明の趣旨を逸脱しない範囲で適宜変更可能である。例えば、本実施の形態ではＭＤについての情報が最初に表示部１００ａに表示されるとしたが、本体１００に装填中の記録媒体についての情報を優先して表示したり、前回使用された記録媒体についての情報を優先して表示するようにしても良い（図１５、１６参照）。
【０１９９】
また、ＣＤをＭＤに記録する場合を例示したが、ＣＤ―Ｒ（Ｗ）やシリコンメモリ等の記録媒体に記録すようにしても良いし、或いはＭＤからの再生データをこれらの記録媒体に記録するようにしても良い。
【０２００】
また、記録動作中において各種インフォメーションを記録媒体毎に表示可能としたが、記録動作中にない場合においても、上記インフォメーションの表示を行うようにしても良い。
【０２０１】
また、記録動作中にある記録媒体の記録可能時間が不足してしまった場合、その時点における記録対象データを全て当該記録媒体に記録した後、次の記録媒体をセットする旨のメッセージを表示できるものであったが、ＣＤからの再生データを記録対象データとする場合、記録内容を各トラックの位置情報で区切り、次の記録媒体には、その位置情報に基づいてトラック単位で記録を再開するようにしても良い。
【０２０２】
更に、本実施の形態においては、ＣＤ―Ｒ(Ｗ)、ＭＤ、或いはシリコンメモリ等の記録媒体、或いは記録モードの選定を一度のみ行うことができるものとしたが（図１１参照）、これら記録媒体、或いは記録モードの選択を何度でも行えるようにしても良い。
【０２０３】
図１８は、本実施の形態の変形例として、ＣＤ―Ｒ(Ｗ)、ＭＤ、或いはシリコンメモリ等の記録媒体の選定を複数回行うことが可能な記録動作を説明するフローチャートである。
【０２０４】
まず、ユーザによって、記録対象となるＣＤ、およびその楽曲が選択され、更に、その選択されたＣＤが複数である場合や、単一のＣＤであっても選択された楽曲が複数である場合、それら複数のＣＤや楽曲の記録順を指定するプログラムの設定が行われ、記録対象データの選定が行われる（ステップＳ７００）。
【０２０５】
次いで、高速マイコン１８０は、ステップＳ７００において選択された上記記録対象データの総再生時間を計算した後（ステップＳ７０１）、ＣＤ−Ｒ(Ｗ)主要操作部１００ｃ、或いはＭＤ／シリコンメモリ主要操作部１００ｄの備える記録操作キー（図示略）の押下による押下信号に応じてその記録対象データのＨＤＤ１７４への記録処理を開始する（ステップＳ７０２）。
【０２０６】
次いで、高速マイコン１８０は、上記記録対象データの再生処理が終了したか否かを判定し（ステップＳ７０３）、その再生処理が終了した場合（ステップＳ７０３；Ｙｅｓ）、未記録データを削除するか否かの選択入力を要求する表示内容を表示し（ステップＳ７０４）、その未記録データを削除する旨の選択入力が行われたか否かを判定する（ステップＳ７０５）。
【０２０７】
ここで、再生処理の終了とは、例えば、ＣＤの全曲を再生した場合、１曲目から最後の曲までを再生したことを意味し、また、１曲のみ再生する場合、その曲のみの再生が終了したことを意味し、或いはまた、プログラムによって複数ＣＤにまたがって再生される場合、そのプログラムに登録された全ての曲が再生されたことを意味するものである。
【０２０８】
ステップＳ７０５において、未記録データを削除する選択入力が行われた場合（ステップＳ７０５；Ｙｅｓ）、高速マイコン１８０は、未記録データを削除し（ステップＳ７０６）、この一連の記録処理が終了される。
【０２０９】
ステップＳ７０５において、未記録データを削除する選択入力が行われなかった場合（ステップＳ７０５；Ｎｏ）、高速マイコン１８０は、上記記録対象データを記録する記録媒体（ＣＤ―Ｒ（Ｗ）、ＭＤ、或いはシリコンメモリ）、或いは記録モード（ステレオモード、モノラルモード等）が選定されたか否かを判定し（ステップＳ７０７）、上記記録媒体、或いは記録モードの選定が行われていない場合（ステップＳ７０７；Ｎｏ）、ステップＳ７０４に移行する。また、上記記録媒体、或いは記録モードが選定された場合（ステップＳ７０７；Ｙｅｓ）、その選定された記録媒体、或いは記録モードにおいて上記再生データの記録が行われる（ステップＳ７０８）。
【０２１０】
次いで、高速マイコン１８０は、記録対象データの全容量が、ステップＳ７０８において決定された記録媒体、或いは記録モードにおける記録可能な容量以下であるか否かを判定し（ステップＳ７０９）、上記記録対象データの全容量がその記録媒体、或いは記録モードにおける記録可能な容量を越えていない場合（ステップＳ７０９；Ｙｅｓ）、上記記録媒体、或いは記録モードに対して上記記録対象データ全体の記録を行うことが決定され、この一連の記録処理を終了する。ここで、上記記録対象データが上記記録媒体に転送されるのはそのデータの再生が終了した後である。
【０２１１】
ステップＳ７０９において、上記記録対象データの全容量がその記録媒体、或いは記録モードにおける記録可能な容量を越えている場合（ステップＳ７０９；Ｎｏ）、仮想記録エリア１７４ｂに仮想記録された再生データの一部を上記記録媒体に転送した後（ステップＳ７１０）、ステップＳ７０４に移行する。
【０２１２】
再び、ステップＳ７０３に戻って説明する。ステップＳ７０３において、上記再生処理が終了していない場合（ステップＳ７０３；Ｎｏ）、高速マイコン１８０は、ステップＳ７０１において計算済みの予測総再生時間に適合する記録媒体の候補リストを表示部１００ａ上に表示する（ステップＳ７１１）。
【０２１３】
次いで、高速マイコン１８０は、上記記録対象データを記録する記録媒体（ＣＤ―Ｒ（Ｗ）、ＭＤ、或いはシリコンメモリ）、或いは記録モード（ステレオモード、モノラルモード）が選定されたか否かを判定する（ステップＳ７１２）。上記記録媒体、或いは記録モードの選定が行われていない場合（ステップＳ７１２；Ｎｏ）、高速マイコン１８０は、ステップＳ７０３に移行し、その記録媒体、或いは記録モードが選定された場合（ステップＳ７１２；Ｙｅｓ）、上記再生処理が終了したか否かを判定し（ステップＳ７１３）、その再生処理が終了した場合（ステップＳ７１３；Ｙｅｓ）、ステップＳ７０４に移行する。
【０２１４】
ここで、再生処理の終了とは、例えば、ＣＤの全曲を再生した場合、１曲目から最後の曲までを再生したことを意味し、また、１曲のみ再生する場合、その曲のみの再生が終了したことを意味し、或いはまた、プログラムによって複数ＣＤにまたがって再生される場合、そのプログラムに登録された全ての曲が再生されたことを意味するものである。
【０２１５】
ステップＳ７１３において、上記再生処理が終了していない場合（ステップＳ７１３；Ｎｏ）、高速マイコン１８０は、当該データを記録中である旨のメッセージを表示部１００ａに表示し（ステップＳ７１４）、ユーザによる、記録媒体、或いは記録モードの強制変更があったか否かを判定する（ステップＳ７１５）。
【０２１６】
ステップＳ７１５において、ユーザによる記録媒体、或いは記録モードの強制変更があった場合（ステップＳ７１５；Ｙｅｓ）、高速マイコン１８０は、ステップＳ７０３に移行し、上記強制変更がなかった場合（ステップＳ７１５；Ｎｏ）、ステップＳ７１２において選定された記録媒体、或いは記録モードにおける記録可能な時間内に上記記録処理が完了できるか否かを判定する（ステップＳ７１６）。
【０２１７】
ステップＳ７１６において、その記録媒体、或いは記録モードにおける記録可能な時間内にこの記録処理が完了できない場合（ステップＳ７１６；Ｎｏ）、高速マイコン１８０は、ステップＳ７１３に移行し、また、上記記録可能時間内に上記記録処理が完了できる場合（ステップＳ７１６；Ｙｅｓ）、記録媒体の交換、或いは記録モードの変更を指示するメッセージを表示部１００ａに表示する（ステップＳ７１７）。
【０２１８】
次いで、高速マイコン１８０は、記録媒体の交換、或いは記録モードの変更をするか否かの選択入力を要求し（ステップＳ７１８）、その記録媒体の交換、或いは記録モードの変更をする旨の選択入力が行われた場合（ステップＳ７１８；Ｙｅｓ）、ステップＳ７１３に移行する。
【０２１９】
ステップＳ７１８において、記録媒体の交換、或いは記録モードの変更をしない旨の選択入力が行われた場合（ステップＳ７１８；Ｎｏ）、高速マイコン１８０は、記録対象データの再生処理が終了したか否かを判定し（ステップＳ７１９）、その再生処理が終了した場合（ステップＳ７１９；Ｙｅｓ）、ステップＳ７０４に移行する。
【０２２０】
ここで、再生処理の終了とは、例えば、ＣＤの全曲を再生した場合、１曲目から最後の曲までを再生したことを意味し、また、１曲のみ再生する場合、その曲のみの再生が終了したことを意味し、或いはまた、プログラムによって複数ＣＤにまたがって再生される場合、そのプログラムに登録された全ての曲が再生されたことを意味するものである。
【０２２１】
ステップＳ７１９において、上記記録対象データの再生処理が終了していない場合（ステップＳ７１９；Ｎｏ）、高速マイコン１８０は、ステップＳ７１７に移行する。
【０２２２】
従って、上記、本実施の形態の変形例によれば、ユーザが一度選定した記録媒体を記録対象データの記録処理中に別の記録媒体、或いは記録モードに強制変更した場合、一度ユーザによって選定された記録媒体の記録可能容量が記録対象データを越えてしまった場合、或いは、記録対象データの再生終了後に記録媒体を選んだ後、その記録媒体にデータを転送中にその記録媒体の記録可能容量が不足した場合の何れにおいても、記録媒体、或いは記録モードの再選定が可能であるので、記録媒体の記録容量が不足しても、記録処理を中断することなく、記録媒体、或いは記録モードの変更が行え、更に利便性の高いオーディオシステム１となる。
【０２２３】
なお、本発明は、上記実施の形態の内容に限定されるものではなく、本発明の趣旨を逸脱しない範囲で適宜変更可能である。例えば、上記実施の形態においては、記録媒体として、ＣＤ―Ｒ（Ｗ）、ＭＤ、及びシリコンメモリを取り扱ったが、それに限らず、ＤＶＤ―Ｒ（Digital Versatile Disc-Recordable）、あるいはＤＶＤ―ＲＷ（Digital Versatile Disc-ReWritable）等に記録可能な構成にしても良い。このＤＶＤ―Ｒ（Ｗ）を使用すれば、一度に数ＧＢ（Giga Bit）のデータが記録可能となり、更に高い利便性を有するオーディオシステム１となる。
【０２２４】
また、上記変形例における操作は、ＨＤＤ１７４の記録容量が許す限り繰り返し行うことが可能である。従って、ＣＤ等、記録時間の予測が可能な記録媒体からの音楽データに加え、ＦＭ放送等、記録時間の予測が不可能な場合にも有効である。
【０２２５】
【発明の効果】
請求項１記載の発明によれば、記録対象データは、その再生中、或いは再生後に記録媒体に転送されるので、記録媒体が選定されていなくても記録開始が可能であり、利便性の高い記録装置となる。また、デジタルデータの転送先となる記録媒体の決定前に前記一時記録部に対してそのデジタルデータの記録が終了した場合、或いは、記録先として指定された記録媒体に前記一時記録部に記録された所定デジタルデータの転送が終了する前に、その記録媒体の記録可能容量が飽和してしまう場合の何れにおいても、前記一時記録部にあるその未転送デジタルデータを破棄するか否かの確認をユーザに促すので、その一時記録部に記録された全てのデータを徹底して管理することが可能となり、高い利便性と優れた操作性を有する記録装置が実現される。
【０２２６】
請求項２記載の発明によれば、予め総再生時間が予測できない場合においても、実際の総再生時間に適当した記録媒体の選定を行うことが可能となり、使い勝手のよい記録装置が実現できる。
【０２２７】
請求項３記載の発明によれば、記録対象データの記録に必要な記録可能容量および記録モード等の各種情報が指定情報抽出手段により自動的に抽出され、その抽出された各種情報が装填中の記録媒体のみならず、未装填の各種記録媒体に対してもそれぞれ個別に表示されるので、その表示内容に応じて自由かつ容易に記録媒体等の選定を行うことが可能となり、操作性の優れた記録装置となる。
【０２２８】
請求項４記載の発明によれば、装填中の記録媒体が何であるかを容易に把握可能となり、記録処理に係る各種設定が行い易いものとなり、きめ細かな操作性を有する記録装置となる。
【０２２９】
請求項５記載の発明によれば、装填中の記録媒体にデータを記録する際、その媒体に関する情報を検索する手間が省け、更に使い勝手の良い記録装置となる。
【０２３０】
請求項６記載の発明によれば、前回使用した記録媒体がそのまま装填されている場合や、前回使用した記録媒体より新しい記録媒体が手元にない場合などにその記憶媒体にデータを記録する際、その媒体に関する情報を検索する手間が省け、更に操作性の良い記録装置が実現できる。
【０２３１】
請求項７記載の発明によると、一旦記録媒体や記録方法を決定した後でも、その記録媒体や記録方法の設定の変更をするための情報を容易に得ることができるので、高い利便性を有する記憶装置となる。
【０２３３】
請求項８記載の発明によれば、記録媒体にデータを転送している最中に、同記録媒体の記憶可能容量が不足し、全てのデータを転送し切れなくなった場合でも、別の記録媒体に交換することにより、その未転送データを無駄にすることなく継続してデータ転送処理を行うことが可能となり、高い利便性と更に優れた操作性を有する記憶装置の実現が図られる。
【０２３４】
請求項９記載の発明によれば、データ変換手段は、前記一時記録部に記録されたデジタルデータを再生可能な信号形態に変換することができるので、例えば、ＭＤからＡＴＲＡＣを介して再生された音質と同質の音楽データを、前記一時記録部から直接再生することが可能となり、外部に出力される再生データの均質化が図られる。
【図面の簡単な説明】
【図１】本発明の一実施の形態におけるオーディオシステム１の有する本体１００とマルチＣＤドライバ２００の前面部の構成を示す要部概観図である。
【図２】本実施の形態におけるオーディオシステム１の内部構造を説明する概略ブロック図である。
【図３】図２に示すデータ記録装置ブロック１７０が記録媒体毎に分割管理されている様子を示す概略構成図である。
【図４】図２に示すＭＤ用ＡＴＲＡＣ・ＤＳＰ・ＬＳＩ１２１、及びその周辺部の内部構成を説明する要部構成図である。
【図５】本実施の形態におけるオーディオシステム１のＭＤブロック１２０の動作を説明するフローチャートである。
【図６】図１に示すオーディオシステム１に装填されたＭＤに対する記録処理を説明するフローチャートである。
【図７】図１に示すオーディオシステム１に装填されたＭＤに対する再生処理を説明するフローチャートである。
【図８】図１に示すオーディオシステム１に装填されたＭＤに係る各種処理を停止する為の準備処理を説明するフローチャートである。
【図９】図１に示すオーディオシステム１に装填されたＭＤを開放する為の開放処理を説明するフローチャートである。
【図１０】図１に示す表示部１００ａに表示されたＭＤを開放する際のデータ転送動作中の表示例として表示画面１０１ａを示す図である。
【図１１】本発明の一実施の形態におけるオーディオシステム１による、ＣＤから再生されたデジタル音楽データをＣＤ―Ｒ（Ｗ）、ＭＤ、或いはシリコンメモリ等の記録媒体に記録する際の動作を説明するフローチャートである。
【図１２】図１に示す表示部１００ａ上に記録媒体、或いは記録モードの選定を行うために必要な情報を表示する表示画面１０３ａを示す図である。
【図１３】図１３に示す表示画面１０３ａ内に表示される集中インフォメーション表示画面１０４ａ上の全内容を示す図である。
【図１４】一部使用済みＭＤが装填されている場合に表示される集中インフォメーション表示画面１０５ａ上の全内容を示す図である。
【図１５】図１に示す表示部１００ａに表示される表示画面の切り替え動作を説明するフローチャートである。
【図１６】ＭＤ、及びＣＤ―Ｒ（Ｗ）が未装填で、シリコンメモリのみ装填された場合に、表示部１００ａに表示される表示画面１０６ａ〜１０８ａが順次切り替わる様子を説明する動作説明図である。
【図１７】図２に示すＨＤＤ１７４に記録されたデジタル音楽データを消去する際に表示部１００ａに表示される表示画面１０９ａを示す図である。
【図１８】本実施の形態の変形例として、ＣＤ―Ｒ(Ｗ)、ＭＤ、或いはシリコンメモリ等の記録媒体の選定を複数回行うことが可能な記録動作を説明するフローチャートである。
【図１９】従来型のオーディオ機器において、ＣＤの再生動作に係る各種時間情報を表示する表示画面の切り替え動作を説明する動作説明図である。
【図２０】従来型のオーディオ機器において、ＭＤの録音／再生動作に係る各種時間情報を表示する表示画面の切り替え動作を説明する動作説明図である。
【図２１】従来型のオーディオ機器における、複数のＣＤを対象としたプログラム再生動作に係る各種時間情報を表示する表示画面の切り替え動作を説明する動作説明図である。
【図２２】従来型のＣＤプレーヤ／ＭＤレコーダ一体型オーディオ機器３００の内部構造を説明する概略ブロック図である。
【図２３】デジタル音楽データの記録時間を例示する表である。
【図２４】従来のＣＤプレーヤ／ＭＤレコーダ一体型オーディオ機器３００において、ＣＤから再生された記録対象データをＭＤ、ＣＤ―Ｒ（Ｗ）、或いはシリコンオーディオに記録する操作手順を説明するフローチャートである。
【図２５】従来型のＣＤプレーヤ／ＭＤレコーダ一体型オーディオ機器３００において、記録先となるＭＤを設定する為の一連の処理を説明するフローチャートである。
【符号の説明】
１  オーディオシステム
１００  本体
１００ａ  表示部
１００ｂ  メニュー操作部
１００ｃ  ＣＤ−Ｒ（Ｗ）主要操作部
１００ｄ  ＭＤ／シリコンメモリ主要操作部
１００ｅ  ＣＤ−Ｒ（Ｗ）挿入口
１００ｆ  ＭＤ挿入口
１００ｇ  シリコンメモリ挿入口
１００ｈ  表示切り替えキー
１００ｉ  ＭＤ／シリコンメモリ操作切り替えキー
１００ｊ  各種キー
１０１ａ，１０３ａ，１０６ａ〜１０９ａ 表示画面
１０２ａ，１０４ａ，１０５ａ，１０６ｂ〜１０８ｂ 集中インフォメーション表示画面
１１０  ＣＤ−Ｒ（Ｗ）ブロック
１１１  ＣＤ−Ｒ（Ｗ）用ＤＳＰ・ＬＳＩ
１１２  ＣＤ−Ｒ（Ｗ）ロードメカ
１１３  ピックアップメカ
１１４  ＲＦアンプ
１１５  サーボ
１１６  Ｄ／Ａコンバータ
１２０  ＭＤブロック
１２１  ＭＤ用ＡＴＲＡＣ・ＤＳＰ・ＬＳＩ
１２１ａ  コントローラ
１２１ｂ  ＡＴＲＡＣエンコード
１２１ｃ  ＤＲＡＭ
１２１ｄ  ＡＴＲＡＣデコーダ
１２２  ＭＤスロットインメカ
１２３  ピックアップメカ
１２４  ＲＦアンプ
１２５  サーボ
１２６  Ｄ／Ａコンバータ
１３０  シリコンメモリブロック
１３１  専用データ圧縮／伸長ＤＳＰ・ＬＳＩ
１３２  シリコンメモリ挿入／排出機構
１３３  Ｄ／Ａコンバータ
１４０  アナログ入出力選択ＳＷ
１５０  Ｄ／Ａコンバータ
１６０  Ａ／Ｄコンバータ
１７０  データ記録装置ブロック
１７１  デジタル入力選択ＳＷ
１７２  デジタル入力デコーダ
１７３  記録媒体制御装置
１７４  ＨＤＤ
１７４ａ  入力データ記録エリア
１７４ｂ  仮想記録エリア
１７５  デジタル信号出力装置
１８０  高速マイコン
１９０  キー／ディスプレイ
２００  マルチＣＤドライバ
２００ａ  マルチＣＤ格納部
２１０  マルチＣＤブロック
２１１  ＣＤ用ＤＳＰ・ＬＳＩ
２１２  マルチＣＤロードメカ
２１３  ピックアップメカ
２１４  ＲＦアンプ
２１５  サーボ
２１６  Ｄ／Ａコンバータ
３００  ＣＤプレーヤ／ＭＤレコーダ一体型オーディオ機器
３１０  ＣＤ用ＤＳＰ・ＬＳＩ
３１１  Ｄ／Ａコンバータ
３２０  マルチＣＤブロック
３２１  マルチＣＤロードメカ
３２２  ピックアップメカ
３２３  ＲＦアンプ
３２４  サーボ
３３０  ＭＤ用ＡＴＲＡＣ・ＤＳＰ・ＬＳＩ
３３１  Ｄ／Ａコンバータ
３４０  ＭＤブロック
３４１  ＭＤスロットインメカ
３４２  ピックアップメカ
３４３  ＲＦアンプ
３４４  サーボ
３５０  マイコン
３５１  ＳＲＡＭ
３６０  出力選択ＳＷ
３７０  Ａ／Ｄコンバータ
３８０  キー／ディスプレイ
【図１】
0003762633.tif 000002
【図２】
0003762633.tif 000003
【図３】
0003762633.tif 000004
【図４】
0003762633.tif 000005
【図５】
0003762633.tif 000006
【図６】
0003762633.tif 000007
【図７】
0003762633.tif 000008
【図８】
0003762633.tif 000009
【図９】
0003762633.tif 000010
【図１０】
0003762633.tif 000011
【図１１】
0003762633.tif 000012
【図１２】
0003762633.tif 000013
【図１３】
0003762633.tif 000014
【図１４】
0003762633.tif 000015
【図１５】
0003762633.tif 000016
【図１６】
0003762633.tif 000017
【図１７】
0003762633.tif 000018
【図１８】
0003762633.tif 000019
【図１９】
0003762633.tif 000020
【図２０】
0003762633.tif 000021
【図２１】
0003762633.tif 000022
【図２２】
0003762633.tif 000023
【図２３】
0003762633.tif 000024
【図２４】
0003762633.tif 000025
【図２５】
0003762633.tif 000026